(57)【要約】【課題】複数のインタフェースを備える通信装置に関し、インタフェースを選択して迂回着信を可能にすることにある。また、インタフェースの選択に対応し、給電中のインタフェースに着信させることにある。【解決手段】複数のネットワーク（セルラネットワーク６、ＷＬＡＮネットワーク８）と、各ネットワークに設置されたネットワーク装置（セルラ交換機１０、ＳＩＰサーバ１４）に無線接続される通信装置（通信端末装置４）とを備える。通信装置は、ネットワークに対応する複数のインタフェース部（セルラインタフェース部ＩＦ−１、ＷＬＡＮインタフェース部ＩＦ−２）を備える。インタフェース部に対する電源の接続切替えを行うとともに、着信先のインタフェース部にネットワークからの着信を迂回させるための迂回先情報をネットワークの一部又は全部に通知する。ネットワーク装置は、迂回先情報を受け、迂回先のインタフェース部に着信を迂回させる。【選択図】図１６
2008035420.tif 000002
【特許請求の範囲】
【請求項１】
複数のネットワークに無線接続され、各ネットワークとの発着信を行う通信装置であって、
前記ネットワークに対応する複数のインタフェース部と、
前記ネットワークに対する着信先のインタフェース部を選択し、前記各インタフェース部に対する電源の接続切替えを行う制御部と、
前記着信先の前記インタフェース部に前記ネットワークからの着信を迂回させるための迂回先情報を前記ネットワークの一部又は全部に通知する通知部と、
を備え、前記ネットワークの着信を迂回先の前記インタフェース部に転送させることを特徴とする通信装置。
【請求項２】
請求項１の通信装置において、
前記制御部は、電波強度により着信先のインタフェース部を選択することを特徴とする通信装置。
【請求項３】
請求項１の通信装置において、
前記制御部は、予め又は随時に設定される優先順位により着信先のインタフェース部を選択することを特徴とする通信装置。
【請求項４】
請求項１の通信装置において、
前記インタフェース部は、電波の送受を行う送受信部と、この送受信部に対する発着信情報を処理する情報処理部とを備えており、
前記情報処理部に対する電源の接続切替えを行うことを特徴とする通信装置。
【請求項５】
複数のインタフェース部を備える通信装置と無線接続されるネットワークに設置されるネットワーク装置であって、
着信先の前記インタフェース部に前記ネットワークからの着信を迂回させるための迂回先情報の通知を受け、迂回先として選択されている前記インタフェース部に着信を迂回させる処理部を備えることを特徴とするネットワーク装置。
【請求項６】
複数のネットワークと、各ネットワークに設置されたネットワーク装置に無線接続される通信装置とを備える通信システムあって、
前記通信装置は、前記ネットワークに対応する複数のインタフェース部を備え、前記ネットワークに対する着信先のインタフェース部を選択し、前記各インタフェース部に対する電源の接続切替えを行うとともに、前記着信先の前記インタフェース部に前記ネットワークからの着信を迂回させるための迂回先情報を前記ネットワークの一部又は全部に通知し、
前記ネットワーク装置は、前記迂回先情報を受け、前記通信装置の前記迂回先の前記インタフェース部に着信を迂回させることを特徴とする通信システム。
【請求項７】
複数のネットワークに無線接続されて各ネットワークとの発着信を行う通信方法であって、
前記ネットワークに対応する複数のインタフェース部を選択し、前記各インタフェース部に対する電源の接続切替えを行うステップと、
着信先の前記インタフェース部に前記ネットワークからの着信を迂回させるための迂回先情報を前記ネットワークの一部又は全部に通知するステップと、
前記ネットワークの着信を迂回先の前記インタフェース部に転送させるステップと、
を含むことを特徴とする通信方法。
【請求項８】
通信装置の複数のインタフェース部と無線接続されて発着信する通信方法であって、
着信先の前記インタフェース部にネットワークからの着信を迂回させるための迂回先情報の通知を受けるステップと、
迂回先として選択されている前記インタフェース部に着信を迂回させるステップと、
を含むことを特徴とする通信方法。
【請求項９】
コンピュータに実行させる通信プログラムであって、
複数のネットワークに対応する複数のインタフェース部を選択し、前記各インタフェース部に対する電源の接続切替えを行うステップと、
着信先の前記インタフェース部に前記ネットワークからの着信を迂回させるための迂回先情報を前記ネットワークの一部又は全部に通知するステップと、
前記ネットワークの着信を迂回先の前記インタフェース部に転送させるステップと、
を含むことを特徴とする通信プログラム。
【請求項１０】
コンピュータに実行させる通信プログラムであって、
通信装置にある複数のインタフェース部における着信先のインタフェース部に対し、ネットワークからの着信を迂回させるための迂回先情報の通知を受けるステップと、
迂回先として選択されている前記インタフェース部に着信を迂回させるステップと、
を含むことを特徴とする通信プログラム。
【発明の詳細な説明】
【技術分野】
【０００１】
本発明は、ＷＬＡＮ（Wireless Local Area Network ）に対応するインタフェース、セルラネットワークに対応するインタフェース等の複数のインタフェースを備え、通信条件に応じた通信制御に関し、特に、インタフェースを選択するとともに、迂回着信を行う通信装置、ネットワーク装置、通信システム、通信方法及び通信プログラムに関する。
【背景技術】
【０００２】
携帯電話等の移動体通信に関し、セルラ（cellular communication system ）ネットワーク、ＷＬＡＮ等の規格があり、セルラネットワークには例えばＣＤＭＡ（Code Division Multiple Access ）−２０００、Ｗ−ＣＤＭＡ（Wideband Code Division Multiple Access）やＧＳＭ（Global System for Mobile Communications ）等があり、ＷＬＡＮには例えば、 ＩＥＥＥ（Institute of Electrical and Electronic Engineers）８０２．１１ｇ、ＷｉＭＡＸ（Worldwide Interoperability for Microwave Access ）等が存在する。各ネットワークに対応するには回線インタフェースが必要であり、双方のネットワークに対応する通信端末装置には、二つの回線インタフェースが必要である。即ち、各ネットワークに対応する回線インタフェースを有する通信端末装置を便宜上「ＤＵＡＬ端末装置」と呼ぶこととする。
【０００３】
このようなセルラネットワークやＷＬＡＮ等の複数のネットワークに跨がる移動体通信に関し、特許文献１は、近距離電話は陸上通信線により、長距離電話は無線アクセス通信装置によって通信を行う通信システムを開示している。特許文献２には、通信端末が良好な通信状態を確保できる地域情報や、複数の接続形態の中、良好な通信状態を確保できる通信情報を受け、一定区域のみでの通信可能な固定モード、移動しながら通信可能な移動モード、携帯端末通信網、ＰＨＳ（Personal Handyphone System）通信網、有線通信網等の接続形態の選択を可能にした通信システムが開示されている。特許文献３には、ユーザ機器が無線電話ネットワークに関してアイドルであり、ＷＬＡＮに対してアクティブである場合に、携帯電話ネットワークがＷＬＡＮと携帯電話ネットワークとのデータ信号接続を用いてＷＬＡＮの無線チャネル経由でユーザ機器を呼び出すことができること、ユーザ機器が無線電話ネットワーク及びＷＬＡＮに対してアイドルである場合に、ＷＬＡＮ及び携帯電話ネットワークがＷＬＡＮと携帯電話ネットワークとのデータ信号接続を用いてユーザ機器を呼び出すことができること等が開示されている。
【特許文献１】特表２００２−５０１３５３号公報（段落番号００２２及び図１）
【特許文献２】特開２００５−３３７０７号公報（要約、図１）
【特許文献３】特表２００５−５３１９８４号公報（段落番号００２３、００３４、図１、図４、図７）
【発明の開示】
【発明が解決しようとする課題】
【０００４】
特許文献１に記載された通信システムでは、ワイヤレス通信装置の電源を切断する場合には、交換機に加入者識別子の登録を解除しているが、電源が落ちるとセンタでの登録も抹消されるので、ＰＳＴＮ（Public Switched Telephone Network ）経由で迂回して構内交換機が着信することはない。また、特許文献２では、端末装置が接続形態｛移動モードか固定モード（ＷＬＡＮや有線等のローカルモード）｝を示す宣言信号を送信し、また、ネットワーク側がネットワークの状態を把握し、端末装置へ通知しているにすぎない。また、特許文献３では、携帯電話ネットワークとＷＬＡＮに対応するインタフェースに対し、接続設定された側に自動的に転送することを開示しているにすぎない。
【０００５】
ところで、複数のインタフェースを備えた通信装置において、各インタフェースに通電することは無駄な電力消費を生じさせ、バッテリで駆動する携帯機器ではバッテリの寿命に大きく影響する。そこで、休止中のインタフェースの電源を遮断することは電力消費を抑制し、携帯機器にあっては、バッテリの寿命増大に寄与することになるが、休止中のインタフェースの給電を停止させると、そのインタフェースでの通信が不能となり、通信の自由度が妨げられることになる。
【０００６】
また、無線通信にあっては、電波強度が通信品質に影響し、電波強度が不十分である場合には通信不能に陥ることになる。セルラネットワークやＷＬＡＮ等の複数のネットワークに対応する複数のインタフェースを備えた通信装置では、電波強度に応じてネットワークを選択することが可能であり、電波強度の低下による通信遮断を回避できるメリットがある。
【０００７】
また、セルラネットワークやＷＬＡＮ等の複数のネットワークにあっては、利用課金等の通信条件が相違し、必要に応じて選択する自由度がユーザに与えられている。
【０００８】
このようなインタフェースの電源遮断や電波強度や通信条件に対応し、通信の自由度を損なうことなく、利便性の高い通信環境を実現することが望まれている。このような課題に対し、特許文献１、２、３にはその開示や示唆はなく、また、その解決手段についての開示や示唆もない。
【０００９】
そこで、本発明の目的は、複数のネットワークに対応するための複数のインタフェースを備える通信装置に関し、インタフェースを選択して迂回着信を可能にすることにある。
【００１０】
また、本発明の他の目的は、複数のネットワークに対応するための複数のインタフェースを備える通信装置に関し、インタフェースの選択に対応し、給電中のインタフェースに着信させることにある。
【課題を解決するための手段】
【００１１】
上記目的を達成するため、本発明は、複数のネットワークに無線接続され、各ネットワークとの発着信を行う複数のインタフェース部を備え、そのインタフェース部から特定のインタフェース部を選択し、即ち、インタフェース部に対する電源接続を切り替え、特定のインタフェース部を動作させる。このインタフェース部の選択に対応し、ネットワーク側に着信先のインタフェース部の変更を通知し、電源に接続されたインタフェース部側に着信を切り替えることにより、着信を可能にする。インタフェース部の選択は、ネットワーク側の課金や、インタフェース部側の電波強度等により行い、また、ユーザにより設定される優先順位により設定すればよい。インタフェース部の選択的な給電により、電池の消耗を抑えることができ、また、課金に応じたインタフェース部の選択によってネットワークが選択されるので、通信に対する経済性も高められることになる。
【００１２】
上記目的を達成するため、本発明の第１の側面は、複数のネットワークに無線接続され、各ネットワークとの発着信を行う通信装置であって、前記ネットワークに対応する複数のインタフェース部と、前記ネットワークに対する着信先のインタフェース部を選択し、前記各インタフェース部に対する電源の接続切替えを行う制御部と、前記着信先の前記インタフェース部に前記ネットワークからの着信を迂回させるための迂回先情報を前記ネットワークの一部又は全部に通知する通知部とを備え、前記ネットワークの着信を迂回先の前記インタフェース部に転送させる構成である。斯かる構成により、上記目的を達成することができる。
【００１３】
上記目的を達成するためには、上記通信装置において、好ましくは、前記制御部は、電波強度により着信先のインタフェース部を選択する構成としてもよい。斯かる構成によっても、上記目的を達成することができる。
【００１４】
上記目的を達成するためには、上記通信装置において、好ましくは、前記制御部は、予め又は随時に設定される優先順位により着信先のインタフェース部を選択する構成としてもよい。斯かる構成によっても、上記目的を達成することができる。
【００１５】
上記目的を達成するためには、上記通信装置において、好ましくは、前記インタフェース部は、電波の送受を行う送受信部と、この送受信部に対する発着信情報を処理する情報処理部とを備えており、
前記情報処理部に対する電源の接続切替えを行う構成としてもよい。斯かる構成によっても、上記目的を達成することができる。
【００１６】
上記目的を達成するため、本発明の第２の側面は、複数のインタフェース部を備える通信装置と無線接続されるネットワークに設置されるネットワーク装置であって、着信先の前記インタフェース部に前記ネットワークからの着信を迂回させるための迂回先情報の通知を受け、迂回先として選択されている前記インタフェース部に着信を迂回させる処理部を備える構成である。斯かる構成により、上記目的を達成することができる。
【００１７】
上記目的を達成するため、本発明の第３の側面は、複数のネットワークと、各ネットワークに設置されたネットワーク装置に無線接続される通信装置とを備える通信システムあって、前記通信装置は、前記ネットワークに対応する複数のインタフェース部を備え、前記ネットワークに対する着信先のインタフェース部を選択し、前記各インタフェース部に対する電源の接続切替えを行うとともに、前記着信先の前記インタフェース部に前記ネットワークからの着信を迂回させるための迂回先情報を前記ネットワークの一部又は全部に通知し、前記ネットワーク装置は、前記迂回先情報を受け、前記通信装置の前記迂回先の前記インタフェース部に着信を迂回させる構成である。斯かる構成により、上記目的を達成することができる。
【００１８】
上記目的を達成するため、本発明の第４の側面は、複数のネットワークに無線接続されて各ネットワークとの発着信を行う通信方法であって、前記ネットワークに対応する複数のインタフェース部を選択し、前記各インタフェース部に対する電源の接続切替えを行うステップと、着信先の前記インタフェース部に前記ネットワークからの着信を迂回させるための迂回先情報を前記ネットワークの一部又は全部に通知するステップと、前記ネットワークの着信を迂回先の前記インタフェース部に転送させるステップとを含む構成である。斯かる構成により、上記目的を達成することができる。
【００１９】
上記目的を達成するため、本発明の第５の側面は、通信装置の複数のインタフェース部と無線接続されて発着信する通信方法であって、着信先の前記インタフェース部にネットワークからの着信を迂回させるための迂回先情報の通知を受けるステップと、迂回先として選択されている前記インタフェース部に着信を迂回させるステップとを含む構成である。斯かる構成により、上記目的を達成することができる。
【００２０】
上記目的を達成するため、本発明の第６の側面は、コンピュータに実行させる通信プログラムであって、複数のネットワークに対応する複数のインタフェース部を選択し、前記各インタフェース部に対する電源の接続切替えを行うステップと、着信先の前記インタフェース部に前記ネットワークからの着信を迂回させるための迂回先情報を前記ネットワークの一部又は全部に通知するステップと、前記ネットワークの着信を迂回先の前記インタフェース部に転送させるステップとを含む構成である。斯かる構成により、上記目的を達成することができる。
【００２１】
上記目的を達成するため、本発明の第７の側面は、コンピュータに実行させる通信プログラムであって、通信装置にある複数のインタフェース部における着信先のインタフェース部に対し、ネットワークからの着信を迂回させるための迂回先情報の通知を受けるステップと、迂回先として選択されている前記インタフェース部に着信を迂回させるステップとを含む構成である。斯かる構成により、上記目的を達成することができる。
【発明の効果】
【００２２】
本発明によれば、次のような効果が得られる。
【００２３】
(1) 複数のインタフェース部を選択し、インタフェース部に対する電源の接続を切り替えることにより、省電力化を図ることができるとともに、着信先を迂回させて通信に必要な接続が維持されるので、インタフェース部の選択による着信不能を防止でき、通信の信頼性を維持することができる。
【００２４】
(2) インタフェース部によってネットワークの選択が可能になるので、電波強度や、課金条件等の優先選択等の選択条件に対応し、通信の信頼性維持とともに、経済性の向上に寄与することができる。
【００２５】
(3) インタフェース部の選択の自動化が可能である。
【００２６】
そして、本発明の他の目的、特徴及び利点は、添付図面及び各実施の形態を参照することにより、一層明確になるであろう。
【００２７】
〔第１の実施の形態〕
【００２８】
本発明の第１の実施の形態について、図１ないし図１０を参照して説明する。図１は、本発明が適用される通信システムを示す図、図２は、通信端末装置の一例を示す図、図３は、プログラム・データ格納メモリの構成例を示す図、図４は、通信端末装置の一例を示す図、図５は、セルラ交換機の一例を示す図、図６は、プログラム・データ格納メモリの構成例を示す図、図７は、ＳＩＰサーバの一例を示す図、図８は、プログラム・データ格納メモリの一例を示す図、図９は、セルラ交換機の接続管理表を示す図、図１０は、ＳＩＰサーバの接続管理表を示す図である。
【００２９】
この通信システム２は、図１に示すように、通信装置として通信端末装置４を用いて複数の通信回線（ネットワーク）として例えば、セルラネットワーク６、又はインターネット即ち、ワイヤレスＬＡＮ（Wireless Local Area Network ）８（以下、「ＷＬＡＮネットワーク８」と称する。）を通して通信が可能なシステムを構成している。
【００３０】
セルラネットワーク６にはセルラ交換機１０及び基地局１２が備えられ、ＷＬＡＮネットワーク８にはＳＩＰサーバ１４及びワイヤレスＬＡＮアクセスポイント１６（以下、「ＷＬＡＮ−ＡＰ１６」と称する。）が備えられている。また、通信端末装置４は、セルラ用電波１８により基地局１２を介してセルラ交換機１０と接続されるとともに、ＷＬＡＮ用電波２０を媒介にして中継局であるＷＬＡＮ−ＡＰ１６と接続される。即ち、セルラ交換機１０は、通信端末装置４に対するセルラネットワーク６側のネットワーク装置を構成し、ＳＩＰサーバ１４は通信端末装置４に対するＷＬＡＮネットワーク８側のネットワーク装置を構成する。
【００３１】
この通信システム２において、通信端末装置４には、セルラネットワーク６に対応するセルラインタフェース部ＩＦ−１と、ＷＬＡＮネットワーク８に対応するＷＬＡＮインタフェース部ＩＦ−２とが備えられ、これらセルラインタフェース部ＩＦ−１、ＷＬＡＮインタフェース部ＩＦ−２は、ネットワークに対する通知部であって、課金や電波強度等の選択条件に応じて動作選択を行って節電を図るとともに、動作停止中の着信（いわゆる着呼）を動作維持側に迂回して通信を可能にしたシステムを構成する。この場合、セルラインタフェース部ＩＦ−１にはセルラ電話番号として例えば、「090-2222-0050 」、ＷＬＡＮインタフェース部ＩＦ−２にはＷＬＡＮ電話番号として例えば、「050-1111-0050 」が割り当てられているものとする。そこで、このような通信端末装置４を含む通信システム２には、以下の構成、制御及び処理等が含まれる。
【００３２】
(1) 通信端末装置４のセルラインタフェース部ＩＦ−１、ＷＬＡＮインタフェース部ＩＦ−２に対し、接続の優先順位として例えば、課金や電波強度等の選択条件に応じて何れかの動作を選択し、その動作選択を電源切替えによって行う。
【００３３】
(2) 電源切替えの際に、通信端末装置４からセルラネットワーク６及び／又はＷＬＡＮネットワーク８側に通知し、迂回設定処理を指示する。
【００３４】
(3) セルラネットワーク６及び／又はＷＬＡＮネットワーク８は迂回設定処理を行い、セルラインタフェース部ＩＦ−１、ＷＬＡＮインタフェース部ＩＦ−２に対し、電源切断側に対する着信を電源接続側に迂回して通信を行えるように制御する。
【００３５】
そこで、通信端末装置４には、図２に示すように、セルラインタフェース部ＩＦ−１、ＷＬＡＮインタフェース部ＩＦ−２が備えられ、セルラインタフェース部ＩＦ−１は、セルラ交換機１０と接続する基地局１２と対応するための機能部であって、アンテナ２２、セルラＲＦ（Radio Frequency ）フロントエンド部２４及びセルラベースバンド部２６を含んでいる。
【００３６】
ＷＬＡＮインタフェース部ＩＦ−２は、ＳＩＰサーバ１４側のＷＬＡＮ−ＡＰ１６に対応するための機能部であって、アンテナ２８、ＷＬＡＮ−ＲＦフロントエンド部３０及びＷＬＡＮベースバンド部３２を含んでいる。これらセルラインタフェース部ＩＦ−１、ＷＬＡＮインタフェース部ＩＦ−２は独立して動作する構成であり、各インタフェース部ＩＦ−１、ＩＦ−２には個別に設けられた電源給電線３４、３６と、共通の電源制御部３８とを通して電池４０が接続され、電池４０からの給電が電源制御部３８によって制御される構成である。具体的には、電源制御部３８が給電切替え機能を備えており、セルラインタフェース部ＩＦ−１とＷＬＡＮインタフェース部ＩＦ−２との給電が必要に応じて選択される。セルラインタフェース部ＩＦ−１、ＷＬＡＮインタフェース部ＩＦ−２及び電源制御部３８は、通信端末装置４に搭載される制御手段、即ち、コンピュータによる通信制御プログラム６２（図３）の実行等により制御される。
【００３７】
そこで、これらインタフェース部ＩＦ−１、ＩＦ−２及び電源制御部３８には、給電制御、通信制御、電波強度の判定、電波強度判定のための制御、その他の制御を行うための制御部又は情報処理部としてのＣＰＵ（Central Processing Unit ）４２が制御線４４によって接続され、ＣＰＵ４２には、プログラム・データ格納メモリ４６、作業メモリ４８、入力部５０、表示部５２、音声制御部５４が制御線４４及びデータバス５６によって接続されている。プログラム・データ格納メモリ４６は、ＲＯＭ（Read-Only Memory）等の記録媒体で構成され、このプログラム・データ格納メモリ４６には、例えば、図３に示すように、プログラム格納領域５８、データ格納領域６０が設定され、プログラム格納領域５８には通信制御プログラム６２等のプログラムが格納され、データ格納領域６０には各種データが格納される。作業メモリ４８は、ＲＡＭ（Random-Access Memory）で構成され、作業エリアとして用いられる。
【００３８】
入力部５０は、ＣＰＵ４２によって制御され、ＣＰＵ４２に対する各種情報の入力手段であって、例えば、キーボードで構成される。表示部５２は、ＣＰＵ４２の制御に基づき、通信先、選択されたインタフェース部ＩＦ−１、ＩＦ−２の選択情報、メール情報等、各種の情報が表示される。音声制御部５４は、ＣＰＵ４２の制御に基づき、通話音声の送受を実行する。そこで、音声制御部５４には、受話信号を音声として再生し、出力するスピーカ６４、送話音声を入力し、電気信号に変換するマイクロフォン６６が接続されている。
【００３９】
この通信端末装置４において、セルラインタフェース部ＩＦ−１、ＷＬＡＮインタフェース部ＩＦ−２の電波受信強度は、セルラインタフェース部ＩＦ−１、ＷＬＡＮインタフェース部ＩＦ−２の通信中の受信電波を監視し、又は休止中のセルラインタフェース部ＩＦ−１、ＷＬＡＮインタフェース部ＩＦ−２に定期的に電源を接続して受信電波を監視する。その場合、受信した電波強度と、通信可能な基準レベルとを比較し、基準レベルを電波強度が超えていれば、通信可能と判断する。斯かる処理は、通信制御プログラム６２によって実行される。
【００４０】
そして、この通信端末装置４は、図４に示すように、筐体部６７、６９をヒンジ部７１で折畳み可能に構成し、筐体部６７にカーソルキーや文字キーを含む入力部５０、マイクロフォン６６を備え、筐体部６９にアンテナ２２、２８、例えばＬＣＤ（Liquid Crystal Display）で構成される表示部５２、スピーカ６４等を備えている。表示部５２には、通話開始や通話中にセルラインタフェース部ＩＦ−１又はＷＬＡＮインタフェース部ＩＦ−２の電源の接続の状態等が表示される。これらの電源接続の切替えをマニュアル操作で行う場合には、そのダイアログ表示や、設定指示の内容が表示部５２に表示される。
【００４１】
また、セルラ交換機１０には、図５に示すように、通信端末装置４の他、複数の通信端末に対応する基地局１２１、１２２、１２３・・・１２Ｎ及び加入者線インタフェース部６８１、６８２、６８３・・・６８Ｎが備えられ、これら加入者線インタフェース部６８１、６８２、６８３・・・６８Ｎは交換スイッチ部７０に接続され、この交換スイッチ部７０には回線インタフェース部７２が接続されている。交換スイッチ部７０は、着信に応じて回線インタフェース部７２を選択し、通信先間の接続を行う。回線インタフェース部７２は、回線からの着呼信号を受け付け、交換スイッチ部７０に伝送する。
【００４２】
これら加入者線インタフェース部６８１、６８２、６８３・・・６８Ｎ、交換スイッチ部７０及び回線インタフェース部７２は、制御線７４を通じてＣＰＵ７６、プログラム・データ格納メモリ７８、作業メモリ８０等を備える制御手段としてコンピュータに接続され、ＣＰＵ７６、プログラム・データ格納メモリ７８、作業メモリ８０は、データバス８２で接続される。ＣＰＵ７６は、制御部及び情報処理部であって、プログラム・データ格納メモリ７８に格納されているプログラムを実行し、加入者線インタフェース部６８１、６８２、・・・６８Ｎ、交換スイッチ部７０及び回線インタフェース部７２を制御し、着信処理、通信端末装置４からの切替え指示通知を受け、その通知内容をプログラム・データ格納メモリ７８に格納し、着信を契機に切替え指示通知内容の実行等の通信制御を実行する。プログラム・データ格納メモリ７８には、図６に示すように、プログラム格納領域８４、データ格納領域８６を備え、プログラム格納領域８４には、通信制御プログラム６２に対応する通信制御プログラムが格納されている。また、作業メモリ８０はＲＡＭで構成され、作業エリアに用いられる。
【００４３】
また、ＳＩＰサーバ１４には、図７に示すように、ＷＬＡＮネットワーク８に接続されるネットワークインタフェース部８８が備えられ、このネットワークインタフェース部８８には、制御部又は情報処理部としてコンピュータとして、ＣＰＵ９０、プログラム・データ格納メモリ９２、作業メモリ９４が制御線９６及びデータバス９８により接続されている。プログラム・データ格納メモリ９２には、図８に示すように、プログラム格納領域１００、データ格納領域１０２を備え、プログラム格納領域１００には、通信制御プログラム６２に対応する通信制御プログラムが格納されている。また、作業メモリ９４はＲＡＭで構成され、作業エリアに用いられる。
【００４４】
次に、セルラネットワーク６のセルラ交換機１０、ＷＬＡＮネットワーク８のＳＩＰサーバ１４の設定について、図９及び図１０を参照して説明する。図９は、セルラ交換機の接続管理表の構成例を示す図、図１０は、ＳＩＰサーバの接続管理表の構成例を示す図である。
【００４５】
セルラ交換機１０のプログラム・データ格納メモリ７８のデータ格納領域８６（図６）には、図９に示す接続管理表１０４が設定されている。この接続管理表１０４は、着信先である電話番号に対し、その電話番号の迂回設定先を表す情報としての電話番号を管理する手段であって、この接続管理表１０４には、接続対象である電話番号を格納する電話番号欄、接続対象に対応する迂回先の電話番号を格納する迂回設定欄が設定されている。迂回設定の有効について、迂回設定欄に電話番号が格納されれば、迂回設定が有効となる。また、迂回設定の無効について、迂回設定欄に無効を格納することにより実行される。
【００４６】
ＳＩＰサーバ１４のプログラム・データ格納メモリ９２のデータ格納領域１０２（図８）には、図１０に示す接続管理表１０６が設定されている。ＳＩＰサーバ１４においても、接続管理表１０６は、着信先である電話番号に対し、その電話番号の迂回設定先を表す情報としての電話番号を管理する手段であって、この接続管理表１０６には、対象である電話番号を格納する電話番号欄と、電話番号に対応するＩＰアドレス欄と、電話番号に対応する迂回設定欄が設定されている。セルラ交換機１０側と同様に、迂回設定の有効について、迂回設定欄に電話番号が格納されれば、迂回設定が有効となる。また、迂回設定の無効について、迂回設定欄に無効を格納することにより実行される。
【００４７】
次に、本発明の通信方法に関し、通信端末装置側の処理手順について、図１１を参照して説明する。図１１は、通信端末装置４における処理手順の概要を示すフローチャートである。
【００４８】
この通信方法は、通信端末装置４に搭載されているコンピュータ及び通信制御プログラム６２によって実行され、その処理手順には、インタフェース部の選択判断、選択、迂回設定又は設定解除の指示等が含まれる。
【００４９】
(1) セルラインタフェース部ＩＦ−１、ＷＬＡＮインタフェース部ＩＦ−２の選択判断
【００５０】
図１１に示すように、通信端末装置４では、セルラインタフェース部ＩＦ−１、ＷＬＡＮインタフェース部ＩＦ−２の何れを動作させ、何れを動作停止とするか、具体的には、何れの電源を切断し、何れに電源を接続するかを判断する（ステップＳ１）。この場合、通信端末装置４の動作開始時、何れかを優先し、電波強度や課金等の条件に応じて接続順位を変更してもよい。
【００５１】
(2) セルラインタフェース部ＩＦ−１、ＷＬＡＮインタフェース部ＩＦ−２の選択
【００５２】
この判断に基づき、セルラインタフェース部ＩＦ−１、ＷＬＡＮインタフェース部ＩＦ−２の何れかが選択される（ステップＳ２）。この場合、電波強度が弱く、セルラインタフェース部ＩＦ−１又はＷＬＡＮインタフェース部ＩＦ−２を選択しても、通信ができない場合には、セルラインタフェース部ＩＦ−１に代えてＷＬＡＮインタフェース部ＩＦ−２、又はＷＬＡＮインタフェース部ＩＦ−２に代えてセルラインタフェース部ＩＦ−１を選択する。
【００５３】
(3) セルラインタフェース部ＩＦ−１、ＷＬＡＮインタフェース部ＩＦ−２の迂回設定又は設定解除の指示
【００５４】
既述の選択結果は、セルラインタフェース部ＩＦ−１又はＷＬＡＮインタフェース部ＩＦ−２からセルラ交換機１０又はＳＩＰサーバ１４に対し、迂回設定又は設定解除の指示を行う（ステップＳ３）。
【００５５】
迂回設定に関し、電源を切る対象がＷＬＡＮインタフェース部ＩＦ−２である場合には、電源を切る前に、ＷＬＡＮインタフェース部ＩＦ−２からＳＩＰサーバ１４に通知し、迂回設定の指示を行う。ＳＩＰサーバ１４に対する迂回設定の指示は、ＷＬＡＮインタフェース部ＩＦ−２に対する着信をＳＩＰサーバ１４からセルラ交換機１０を経て、給電中のセルラインタフェース部ＩＦ−１に迂回させる設定の指示であって、ＳＩＰサーバ１４の接続管理表１０６（図１０）にある電話番号に対し、迂回先である電話番号が登録され、迂回先が有効となる。
【００５６】
また、電源を切る対象がセルラインタフェース部ＩＦ−１である場合には、電源を切る前に、セルラインタフェース部ＩＦ−１からセルラ交換機１０に通知し、迂回設定の指示を行う。セルラ交換機１０に対する迂回設定の指示は、セルラインタフェース部ＩＦ−１に対する着信をセルラ交換機１０からＳＩＰサーバ１４を経て、給電中のＷＬＡＮインタフェース部ＩＦ−２に迂回させる設定の指示であって、セルラ交換機１０の接続管理表１０４（図９）にある電話番号に対し、迂回先である電話番号が登録され、迂回先が有効となる。
【００５７】
また、迂回設定の解除に関し、迂回設定の存在が前提となる。そこで、現在の迂回設定状態を利用し、セルラインタフェース部ＩＦ−１又はＷＬＡＮインタフェース部ＩＦ−２からセルラ交換機１０又はＳＩＰサーバ１４に対し、迂回設定の解除指示を行う。
【００５８】
ＷＬＡＮインタフェース部ＩＦ−２の電源が切断されている場合には、ＳＩＰサーバ１４に対する迂回設定の解除指示は、セルラインタフェース部ＩＦ−１からセルラ交換機１０を経て実行される指示であって、セルラ交換機１０の接続管理表１０４（図９）にある電話番号に対し、迂回先である電話番号を消去し、又は無効を格納する。これにより、迂回設定が解除される。
【００５９】
セルラインタフェース部ＩＦ−１の電源が切断されている場合には、セルラ交換機１０に対する迂回設定の解除指示は、ＷＬＡＮインタフェース部ＩＦ−２からＳＩＰサーバ１４を経て実行される指示であって、ＳＩＰサーバ１４の接続管理表１０６（図１０）にある電話番号に対し、迂回先である電話番号を消去し又は無効を格納する。これにより、迂回設定が解除される。
【００６０】
次に、通信方法について、セルラ交換機又はＳＩＰサーバの処理手順について、図１２を参照して説明する。図１２は、セルラ交換機１０又はＳＩＰサーバ１４の処理手順の概要を示すフローチャートである。                                                        
【００６１】
この通信方法は、セルラ交換機１０又はＳＩＰサーバ１４に搭載されているコンピュータ及び通信制御プログラム６２によって実行され、その処理手順には、迂回設定か設定解除かの判断、迂回設定又は設定解除の指示等が含まれる。
【００６２】
(1) 迂回設定又は設定解除の判断
【００６３】
通信端末装置４の指示により、セルラ交換機１０又はＳＩＰサーバ１４に対し、迂回設定か設定解除かを判断する（ステップＳ１１）。
【００６４】
(2) 迂回設定又は設定解除の処理
【００６５】
迂回設定の場合には、迂回設定が実行され（ステップＳ１２）、設定解除の場合には設定解除が実行される（ステップＳ１３）。
【００６６】
この場合、ＳＩＰサーバ１４は、ＷＬＡＮインタフェース部ＩＦ−２からの迂回設定の指示に対し、ＷＬＡＮインタフェース部ＩＦ−２に対する着信をＳＩＰサーバ１４からセルラ交換機１０を経て、給電中のセルラインタフェース部ＩＦ−１に迂回させる設定を実行する。
【００６７】
また、セルラ交換機１０は、セルラインタフェース部ＩＦ−１からの迂回設定の指示に対し、セルラインタフェース部ＩＦ−１に対する着信をセルラ交換機１０からＳＩＰサーバ１４を経て、給電中のＷＬＡＮインタフェース部ＩＦ−２に迂回させる設定を実行する。
【００６８】
ＳＩＰサーバ１４に対する迂回設定の解除は、セルラインタフェース部ＩＦ−１からの指示をセルラ交換機１０を介してＳＩＰサーバ１４が受け、それによりＳＩＰサーバ１４側で実行される。
【００６９】
セルラ交換機１０に対する迂回設定の解除は、ＷＬＡＮインタフェース部ＩＦ−２からの指示をＳＩＰサーバ１４を介してセルラ交換機１０が受け、それによりセルラ交換機１０側で実行される。
【００７０】
次に、この実施の形態の具体的な通信方法の処理手順について、図１３ないし図２４を参照して説明する。図１３は、ＳＩＰサーバの迂回設定を示す図、図１４は、ＳＩＰサーバの迂回設定を表す接続管理表を示す図、図１５は、ＳＩＰサーバの処理手順を示すフローチャート、図１６及び図１７は、迂回設定時の着信を示す図、図１８は、迂回設定時の発信を示す図、図１９は、セルラ交換機の迂回設定を示す図、図２０は、セルラ交換機の迂回設定を表す接続管理表を示す図、図２１は、セルラ交換機の処理手順を示すフローチャート、図２２及び図２３は、迂回設定時の着信を示す図、図２４は、迂回設定時の発信を示す図である。
【００７１】
この通信方法の処理手順は、通信端末装置４、セルラ交換機１０又はＳＩＰサーバ１４に搭載されているコンピュータ及び通信制御プログラム６２等によって実行され、その処理手順には、電源の切替え、迂回設定又は設定解除の指示等が含まれる。
【００７２】
Ａ  ＷＬＡＮインタフェース部ＩＦ−２の電源を切る場合
【００７３】
通信端末装置４のＷＬＡＮインタフェース部ＩＦ−２の電源を切る場合には、その切断前に、図１３に示すように、ＷＬＡＮインタフェース部ＩＦ−２からＳＩＰサーバ１４に既述の迂回設定を行う。
【００７４】
この迂回設定は、ＷＬＡＮインタフェース部ＩＦ−２の電話番号に対する着信をセルラインタフェース部ＩＦ−１側に迂回させるための設定をＳＩＰサーバ１４に行う。例えば、セルラインタフェース部ＩＦ−１のセルラ電話番号を例えば、「090-2222-0050 」、ＷＬＡＮインタフェース部ＩＦ−２の電話番号を例えば、「050-1111-0050 」、ＩＰアドレスを例えば、「10.18.42.50 」とすれば、図１４に示すように、ＳＩＰサーバ１４の接続管理表１０６にある、電話番号「050-1111-0050 」、ＩＰアドレス「10.18.42.50 」に対し、迂回設定欄にセルラ電話番号「090-2222-0050 」を書き込むことにより、迂回設定が行われる。これにより、電話番号「050-1111-0050 」の迂回先は「090-2222-0050 」であり、回線の異なる電話番号が関係付けられ、迂回（転送）設定が完了する。
【００７５】
この迂回設定の後、ＷＬＡＮインタフェース部ＩＦ−２の電源が切断され、ＷＬＡＮインタフェース部ＩＦ−２とＳＩＰサーバ１４とが遮断状態となる。即ち、通信端末装置４は、セルラインタフェース部ＩＦ−１のみの通信が可能となるとともに、ＷＬＡＮインタフェース部ＩＦ−２の給電解除により、省電力化が図られる。
【００７６】
このような迂回設定が行われると、他の通信端末装置からＳＩＰサーバ１４に対して着信があると、ＳＩＰサーバ１４では接続管理表１０６（図１４）を参照し、接続先が「050-1111-0050 」であれば、この電話番号には迂回先として「090-2222-0050 」が記述されているので、「090-2222-0050 」に迂回させる。即ち、ＳＩＰサーバ１４が受けた着信により、セルラ交換機１０を経てセルラインタフェース部ＩＦ−１に迂回して着信が行われる。
【００７７】
この場合、迂回設定が無効であれば、ＩＰアドレス「10.18.42.50 」に着信させ、迂回着信はない。
【００７８】
このＷＬＡＮインタフェース部ＩＦ−２の電源を切る場合において、ＳＩＰサーバ１４側の処理を図１５を参照して説明する。図１５は、ＷＬＡＮインタフェース部ＩＦ−２の電源を切る場合のＳＩＰサーバ１４の処理手順を示すフローチャートである。
【００７９】
ＳＩＰサーバ１４では、通信端末装置４からの指示待ち状態において、次の指示を受ける（ステップＳ２１）。
【００８０】
この指示は、セルラインタフェース部ＩＦ−１への迂回設定指示（ステップＳ２２）、ＷＬＡＮインタフェース部ＩＦ−２への接続要求指示（ステップＳ２３）、セルラインタフェース部ＩＦ−１への迂回設定解除指示（ステップＳ２４）の何れかである。
【００８１】
迂回設定指示（ステップＳ２２）の場合には、接続管理表１０６の迂回設定欄に迂回先のセルラ電話番号を記入する（ステップＳ２５）。
【００８２】
また、接続要求指示（ステップＳ２３）の場合には、接続管理表１０６で接続要求先の電話番号を検索し、その電話番号の迂回設定欄を参照する（ステップＳ２６）。迂回設定が無効であれば、セルラネットワーク６への迂回は行わずに、ＷＬＡＮインタフェース部ＩＦ−２への接続処理を行う（ステップＳ２７）。また、迂回設定欄に電話番号が記載されていれば、セルラ電話番号への接続処理を行う（ステップＳ２８）。
【００８３】
また、迂回設定解除指示（ステップＳ２４）の場合には、接続管理表１０６の迂回設定欄に「無効」を記入する（ステップＳ２９）。
【００８４】
この迂回設定が行われた後、ＷＬＡＮインタフェース部ＩＦ−２の電源が切断され、ＷＬＡＮインタフェース部ＩＦ−２とＳＩＰサーバ１４とが遮断状態となる。即ち、通信端末装置４は、セルラインタフェース部ＩＦ−１のみの通信が可能となるとともに、ＷＬＡＮインタフェース部ＩＦ−２の給電解除により、省電力化が図られる。
【００８５】
このような迂回設定が行われると、図１６に示すように、他の通信端末装置２２０からＳＩＰサーバ１４に対して着信があると、ＳＩＰサーバ１４では接続管理表１０６（図１４）を参照し、接続先が「050-1111-0050 」であれば、この電話番号には迂回先として「090-2222-0050 」が記述されているので、「090-2222-0050 」に迂回させる。即ち、ＳＩＰサーバ１４が受けた着信により、セルラ交換機１０を経てセルラインタフェース部ＩＦ−１に迂回して着信が行われる。
【００８６】
また、図１７に示すように、セルラ交換機１０にＷＬＡＮネットワーク８経由の接続要求、即ち、セルラ交換機１０に対して「050-1111-0050 」の着信があった場合には、セルラ交換機１０はＳＩＰサーバ１４に対して接続要求を発する。この場合、ＳＩＰサーバ１４には既述の迂回設定が行われているので、その迂回設定によりセルラ交換機１０経由でセルラインタフェース部ＩＦ−１に接続が行われる。即ち、セルラ交換機１０の着信はＳＩＰサーバ１４に転送されるが、迂回設定があるため、セルラ交換機１０に戻り、セルラ交換機１０からセルラインタフェース部ＩＦ−１に接続が切り替えられることになる。        
【００８７】
また、この場合、通信端末装置４の発信（いわゆる発呼）は、電源に接続されているセルラインタフェース部ＩＦ−１から行われ、図１８に示すように、セルラ交換機１０からＳＩＰサーバ１４に迂回してＷＬＡＮネットワーク８側との通信を行うことができる。
【００８８】
Ｂ  セルラインタフェース部ＩＦ−１の電源を切る場合
【００８９】
通信端末装置４のセルラインタフェース部ＩＦ−１の電源を切る場合には、その切断前に、図１９に示すように、セルラインタフェース部ＩＦ−１からセルラ交換機１０に既述の迂回設定を行う。
【００９０】
この迂回設定は、セルラインタフェース部ＩＦ−１の電話番号に対する着信をＷＬＡＮインタフェース部ＩＦ−２側に迂回させるための設定をセルラ交換機１０に行う。電話番号が既述の通りであれば、図２０に示すように、セルラ交換機１０の接続管理表１０４にある、電話番号「090-2222-0050 」に対し、迂回設定欄に電話番号「050-1111-0050 」を書き込むことにより、迂回設定が行われる。これにより、電話番号「090-2222-0050 」の迂回先は「050-1111-0050 」であり、同様に、回線の異なる電話番号が関係付けられ、迂回（転送）設定が完了する。
【００９１】
次に、セルラインタフェース部ＩＦ−１の電源を切る場合のセルラ交換機１０の処理手順について、図２１を参照して説明する。図２１は、セルラインタフェース部ＩＦ−１の電源を切る場合のセルラ交換機１０の処理手順を示すフローチャートである。
【００９２】
セルラ交換機１０では、通信端末装置４からの指示待ち状態において、次の指示を受ける（ステップＳ３１）。
【００９３】
この指示は、ＷＬＡＮインタフェース部ＩＦ−２への迂回設定指示（ステップＳ３２）、セルラインタフェース部ＩＦ−１への接続要求指示（ステップＳ３３）、ＷＬＡＮインタフェース部ＩＦ−２への迂回設定解除指示（ステップＳ３４）の何れかである。
【００９４】
迂回設定指示（ステップＳ３２）の場合には、接続管理表１０４の迂回設定欄に迂回先のＷＬＡＮ電話番号を記入する（ステップＳ３５）。
【００９５】
接続要求指示（ステップＳ３３）の場合には、接続管理表１０４で接続要求先の電話番号を検索し、その電話番号の迂回設定欄を参照する（ステップＳ３６）。迂回設定が無効であれば、ＷＬＡＮネットワーク８への迂回は行わずに、セルラインタフェース部ＩＦ−１への接続処理を行う（ステップＳ３７）。また、迂回設定欄に電話番号が記載されていれば、ＷＬＡＮ電話番号への接続処理を行う（ステップＳ３８）。
【００９６】
また、迂回設定解除指示（ステップＳ３４）の場合には、接続管理表１０４の迂回設定欄に「無効」を記入する（ステップＳ３９）。
【００９７】
この迂回設定の後、セルラインタフェース部ＩＦ−１の電源が切断され、セルラインタフェース部ＩＦ−１とセルラ交換機１０とが遮断状態となる。即ち、通信端末装置４は、ＷＬＡＮインタフェース部ＩＦ−２のみの通信が可能となるとともに、セルラインタフェース部ＩＦ−１の給電解除により、省電力化が図られる。
【００９８】
このような迂回設定が行われると、図２２に示すように、他の通信端末装置２２２からセルラ交換機１０に対して着信があると、セルラ交換機１０では接続管理表１０４（図２０）を参照し、接続先が「090-2222-0050 」であれば、この電話番号には迂回先として「050-1111-0050 」が記述されているので、「050-1111-0050 」に迂回させる。即ち、セルラ交換機１０が受けた着信により、ＳＩＰサーバ１４を経てＷＬＡＮインタフェース部ＩＦ−２に迂回して着信が行われる。
【００９９】
また、図２３に示すように、ＳＩＰサーバ１４にセルラネットワーク６経由の接続要求、即ち、ＳＩＰサーバ１４に対して「090-2222-0050 」の着信があった場合には、ＳＩＰサーバ１４はセルラ交換機１０に対して接続要求を発する。この場合、セルラ交換機１０には既述の迂回設定が行われているので、その迂回設定によりＳＩＰサーバ１４経由でＷＬＡＮインタフェース部ＩＦ−２に接続が行われる。即ち、ＳＩＰサーバ１４の着信はセルラ交換機１０に転送されるが、迂回設定があるため、ＳＩＰサーバ１４に戻り、ＳＩＰサーバ１４からＷＬＡＮインタフェース部ＩＦ−２に接続が切り替えられることになる。
【０１００】
また、この場合、通信端末装置４の発信は、電源に接続されているＷＬＡＮインタフェース部ＩＦ−２から行われ、図２４に示すように、ＳＩＰサーバ１４からセルラ交換機１０に迂回してセルラネットワーク６側との通信を行うことができる。
【０１０１】
このような実施の形態によれば、セルラインタフェース部ＩＦ−１とＷＬＡＮインタフェース部ＩＦ−２とが同時に電源に接続される時間を短縮でき、通信端末装置４の省電力化が図られるとともに、電界強度に応じてインタフェース部を切り替えるので、課金に応じたインタフェース部の切替えによる経済性の向上や通信の信頼性維持が図られる。
【０１０２】
〔第２の実施の形態〕
【０１０３】
本発明の第２の実施の形態について、図２５ないし図３４を参照して説明する。図２５は、セルラ交換機の読替え設定表を示す図、図２６は、ＳＩＰサーバの読替え設定表を示す図、図２７は、セルラ交換機及びＳＩＰサーバの設定を示す図、図２８は、セルラ交換機の読替え設定表の一例を示す図、図２９は、セルラ交換機の処理手順を示すフローチャート、図３０は、セルラインタフェース部ＩＦ−１の着信を示す図、図３１は、セルラ交換機及びＳＩＰサーバの設定を示す図、図３２は、ＳＩＰサーバの読替え設定表の一例を示す図、図３３は、ＳＩＰサーバの処理手順を示すフローチャート、図３４は、ＷＬＡＮインタフェース部ＩＦ−２の着信を示す図である。
【０１０４】
この第２の実施の形態においても、図１に示す通信システム２、図２に示す通信端末装置４、図３に示すプログラム・データ格納メモリ４６、図５に示すセルラ交換機１０、図６に示すプログラム・データ格納メモリ７８、図７に示すＳＩＰサーバ１４、図８に示すプログラム・データ格納メモリ９２を用いる。
【０１０５】
この第２の実施の形態における処理手順は、通信端末装置４、セルラ交換機１０又はＳＩＰサーバ１４に搭載されているコンピュータ及び通信制御プログラム６２等によって実行され、その処理手順には、電源の切替え、迂回設定又は設定解除の指示等が含まれる。
【０１０６】
この場合、セルラ交換機１０のプログラム・データ格納メモリ７８のデータ格納領域８６には、図２５に示すように、読替え設定表１０８が格納される。この読替え設定表１０８は、着信先である電話番号の読替え情報を管理する手段であって、この読替え設定表１０８には、電話番号欄と、電話番号に対応する読替え電話番号を格納する読替え設定欄とが設定されている。
【０１０７】
また、ＳＩＰサーバ１４のプログラム・データ格納メモリ９２のデータ格納領域１０２には、図２６に示すように、読替え設定表１１０が格納される。この読替え設定表１１０は、着信先である電話番号の読替え情報を管理する手段であって、この読替え設定表１１０には、電話番号欄と、電話番号に対応する読替え電話番号を格納する読替え設定欄とが設定されている。
【０１０８】
このような読替え設定表１０８、１１０を用いれば、次のような処理が可能となる。
【０１０９】
Ａ  ＷＬＡＮインタフェース部ＩＦ−２の電源を切る場合
【０１１０】
図２７に示すように、ＷＬＡＮインタフェース部ＩＦ−２からＳＩＰサーバ１４に対して迂回設定（第１の実施の形態）を実行するとともに、セルラインタフェース部ＩＦ−１からセルラ交換機１０に対して読替え設定を行えば、セルラ交換機１０の着信をＳＩＰサーバ１４へ迂回させないようにできる。即ち、図１７に示すセルラ交換機１０とＳＩＰサーバ１４との間の往復処理の回避が可能となる。
【０１１１】
この場合、図２８に示すように、読替え設定表１０８に対し、電話番号欄の電話番号「050-1111-0050 」に対応する読替え設定欄にセルラ電話番号「090-2222-0050 」を書き込む設定を行う。
【０１１２】
このＷＬＡＮインタフェース部ＩＦ−２の電源を切る場合のセルラ交換機１０の処理手順について、図２９を参照して説明する。図２９は、ＷＬＡＮインタフェース部ＩＦ−２の電源を切る場合のセルラ交換機１０の処理手順を示すフローチャートである。
【０１１３】
セルラ交換機１０では、通信端末装置４からの指示待ち状態において、次の指示を受ける（ステップＳ４１）。
【０１１４】
この指示は、セルラインタフェース部ＩＦ−１への迂回設定指示（ステップＳ４２）、ＷＬＡＮインタフェース部ＩＦ−２への接続要求指示（ステップＳ４３）、セルラインタフェース部ＩＦ−１への迂回設定解除指示（ステップＳ４４）である。
【０１１５】
迂回設定指示（ステップＳ４２）の場合には、読替え設定表１０８の読替え設定欄にセルラ電話番号を記入する（ステップＳ４５）。
【０１１６】
接続要求指示（ステップＳ４３）の場合には、読替え設定表１０８で接続要求先の電話番号を検索し、その電話番号の読替え設定欄を参照する（ステップＳ４６）。読替え設定が無効であれば、ＷＬＡＮ電話番号への接続処理を行う（ステップＳ４７）。また、読替え設定欄に電話番号が記載されていれば、ＷＬＡＮネットワーク８への迂回は行わずにセルラインタフェース部ＩＦ−１への接続処理を行う（ステップＳ４８）。
【０１１７】
また、迂回設定解除指示（ステップＳ４４）の場合には、読替え設定表１０８の読替え設定欄に「無効」を記入する（ステップＳ４９）。
【０１１８】
このような設定があれば、図３０に示すように、読替え設定されたセルラ電話番号「090-2222-0050 」に対応するセルラインタフェース部ＩＦ−１で着信を受けることができる。
【０１１９】
Ｂ  セルラインタフェース部ＩＦ−１の電源を切る場合
【０１２０】
図３１に示すように、セルラインタフェース部ＩＦ−１からセルラ交換機１０に対して迂回設定（第１の実施の形態）を実行するとともに、ＷＬＡＮインタフェース部ＩＦ−２からＳＩＰサーバ１４に対して電話番号の読替えの設定を行えば、ＳＩＰサーバ１４の着信をセルラ交換機１０に迂回させないようにできる。即ち、図２３に示すセルラ交換機１０とＳＩＰサーバ１４との間の往復処理の回避である。
【０１２１】
この場合、図３２に示すように、読替え設定表１１０の読替え設定欄に、セルラ電話番号「090-2222-0050 」に対応する電話番号「050-1111-0050 」を書き込む設定を行う。
【０１２２】
このセルラインタフェース部ＩＦ−１の電源を切る場合のＳＩＰサーバ１４の処理手順について、図３３を参照して説明する。図３３は、セルラインタフェース部ＩＦ−１の電源を切る場合のＳＩＰサーバ１４の処理手順を示すフローチャートである。
【０１２３】
ＳＩＰサーバ１４では、通信端末装置４からの指示待ち状態において、次の指示を受ける（ステップＳ５１）。
【０１２４】
この指示は、ＷＬＡＮインタフェース部ＩＦ−２への迂回設定指示（ステップＳ５２）、セルラインタフェース部ＩＦ−１への接続要求指示（ステップＳ５３）、ＷＬＡＮインタフェース部ＩＦ−２への迂回設定解除指示（ステップＳ５４）である。
【０１２５】
迂回設定指示（ステップＳ５２）の場合には、読替え設定表１１０の読替え設定欄にＷＬＡＮ電話番号を記入する（ステップＳ５５）。
【０１２６】
接続要求指示（ステップＳ５３）の場合には、読替え設定表１１０で接続要求先の電話番号を検索し、その電話番号の読替え設定欄を参照する（ステップＳ５６）。読替え設定が無効であれば、セルラ電話番号への接続処理を行う（ステップＳ５７）。また、読替え設定欄に電話番号が記載されていれば、セルラネットワーク６への迂回は行わずに、ＷＬＡＮインタフェース部ＩＦ−２への接続処理を行う（ステップＳ５８）。
【０１２７】
また、迂回設定解除指示（ステップＳ５４）の場合には、読替え設定表１１０の読替え設定欄に「無効」を記入する（ステップＳ５９）。
【０１２８】
このような設定があれば、図３４に示すように、読替え設定された電話番号「050-1111-0050 」に対応するＷＬＡＮインタフェース部ＩＦ−２で着信を受けることができる。
【０１２９】
斯かる構成によれば、通信端末装置４における省電力化とともに、経済的な通信や通信の信頼性の向上に寄与することができる。
【０１３０】
〔第３の実施の形態〕
【０１３１】
本発明の第３の実施の形態について、図３５及び図３６を参照して説明する。図３５は、セルラインタフェース部ＩＦ−１によるＳＩＰサーバ１４の迂回設定を示す図、図３６は、ＷＬＡＮインタフェース部ＩＦ−２によるセルラ交換機１０の迂回設定を示す図である。
【０１３２】
この第３の実施の形態においても、図１に示す通信システム２、図２に示す通信端末装置４、図３に示すプログラム・データ格納メモリ４６、図５に示すセルラ交換機１０、図６に示すプログラム・データ格納メモリ７８、図７に示すＳＩＰサーバ１４、図８に示すプログラム・データ格納メモリ９２を用いる。
【０１３３】
第１の実施の形態では、電源を切る側のセルラインタフェース部ＩＦ−１でセルラ交換機１０に対する迂回設定、電源を切る側のＷＬＡＮインタフェース部ＩＦ−２でＳＩＰサーバ１４に対する迂回設定を行っているが、迂回設定は、セルラインタフェース部ＩＦ−１、ＷＬＡＮインタフェース部ＩＦ−２の何れを用いて行ってもよい。第３の実施の形態では、給電中のセルラインタフェース部ＩＦ−１を以てＳＩＰサーバ１４に対する迂回設定、給電中のＷＬＡＮインタフェース部ＩＦ−２でセルラ交換機１０に対する迂回設定を行う。具体的には次の通りである。
【０１３４】
Ａ  ＷＬＡＮインタフェース部ＩＦ−２の電源を切る場合
【０１３５】
図３５に示すように、セルラインタフェース部ＩＦ−１からセルラ交換機１０を介してＳＩＰサーバ１４に対する迂回設定を行う。設定内容及びその処理手順は第１の実施の形態と同様であるので、省略する。
【０１３６】
Ｂ  セルラインタフェース部ＩＦ−１の電源を切る場合
【０１３７】
図３６に示すように、ＷＬＡＮインタフェース部ＩＦ−２からＳＩＰサーバ１４を介してセルラ交換機１０に対する迂回設定を行う。設定内容は第１の実施の形態と同様であるので、省略する。
【０１３８】
このような設定方法を取ることにより、電波状況等の不可避な選択条件に応じて迂回設定を行うことができ、また、迂回設定の処理の自由度が高められ、通信端末装置４における省電力化とともに、経済的な通信や通信の信頼性の向上に寄与することができる。
【０１３９】
〔第４の実施の形態〕
【０１４０】
本発明の第４の実施の形態について、図３７ないし図３９を参照して説明する。図３７は、第４の実施の形態に係る通信端末装置を示す図、図３８は、通信端末装置４とセルラ交換機１０及びＳＩＰサーバ１４との処理シーケンスを示す図、図３９は、通信端末装置のインタフェース部の制御手順を示すフローチャートである。図３７において、図２と同一部分には同一符号を付し、その説明を省略する。
【０１４１】
図３７に示すように、この実施の形態では、通信端末装置４のセルラインタフェース部ＩＦ−１について、セルラＲＦフロントエンド部２４と電源制御部３８との間に電源給電線３４１、セルラベースバンド部２６と電源制御部３８との間に電源給電線３４２を接続し、セルラＲＦフロントエンド部２４とセルラベースバンド部２６とを独立して給電する構成としたものである。また、ＷＬＡＮインタフェース部ＩＦ−２についても、ＷＬＡＮ−ＲＦフロントエンド部３０と電源制御部３８との間に電源給電線３６１、ＷＬＡＮベースバンド部３２と電源制御部３８との間に電源給電線３６２を接続し、ＷＬＡＮ−ＲＦフロントエンド部３０とＷＬＡＮベースバンド部３２とを独立して給電する構成としたものである。
【０１４２】
斯かる構成とすれば、セルラＲＦフロントエンド部２４及びＷＬＡＮ−ＲＦフロントエンド部３０を常時電源に接続し、電波強度等の選択条件に応じてセルラベースバンド部２６又はＷＬＡＮベースバンド部３２に対する電源の接続を切り替えることが可能である。
【０１４３】
また、この第４の実施の形態においても、図１に示す通信システム２、図３に示すプログラム・データ格納メモリ、図５に示すセルラ交換機１０、図６に示すプログラム・データ格納メモリ、図７に示すＳＩＰサーバ１４、図８に示すプログラム・データ格納メモリを用いる。
【０１４４】
次に、通信端末装置４とセルラ交換機１０及びＳＩＰサーバ１４との処理シーケンスでは、図３８に示すように、電波強度に応じてセルラインタフェース部ＩＦ−１、ＷＬＡＮインタフェース部ＩＦ−２の電源切替え、セルラ交換機１０、ＳＩＰサーバ１４に対する迂回設定及び処理が実行される。この処理シーケンス上の処理は、既述の通信制御プログラムによって実行される。
【０１４５】
この場合、ＷＬＡＮインタフェース部ＩＦ−２で電波強度が十分であることを検出した場合には（ステップＳ６１）、着信をＷＬＡＮインタフェース部ＩＦ−２に迂回させる迂回設定を行う（ステップＳ６２）。ＷＬＡＮインタフェース部ＩＦ−２に電源を接続し、セルラインタフェース部ＩＦ−１の電源を切る。また、ＷＬＡＮインタフェース部ＩＦ−２で電波強度が不十分であることを検出した場合には（ステップＳ６３）、ＷＬＡＮインタフェース部ＩＦ−２への迂回設定を解除し（ステップＳ６４）、セルラインタフェース部ＩＦ−１で電波強度が十分であることを検出した場合には（ステップＳ６５）、着信をセルラインタフェース部ＩＦ−１に迂回させる迂回設定を行う（ステップＳ６６）。この場合、セルラインタフェース部ＩＦ−１に電源を接続し、ＷＬＡＮインタフェース部ＩＦ−２の電源を切る。セルラインタフェース部ＩＦ−１で電波強度が不十分であることを検出した場合には（ステップＳ６７）、セルラインタフェース部ＩＦ−１への迂回設定を解除する（ステップＳ６８）。
【０１４６】
具体的には、ＷＬＡＮインタフェース部ＩＦ−２において、電波強度が十分である場合には、ＷＬＡＮインタフェース部ＩＦ−２からＳＩＰサーバ１４に対し切替設定を行う（ステップＳ７１）。この切替設定は、ＷＬＡＮネットワーク８からセルラインタフェース部ＩＦ−１への着信をＷＬＡＮインタフェース部ＩＦ−２に転送する設定である。また、ＷＬＡＮインタフェース部ＩＦ−２からセルラ交換機１０に対して迂回設定を行う（ステップＳ７２）。この迂回設定は、セルラネットワーク６からセルラインタフェース部ＩＦ−１への着信をＷＬＡＮインタフェース部ＩＦ−２に転送する設定である。
【０１４７】
この設定の後、ＷＬＡＮインタフェース部ＩＦ−２において、通信を行うには電波強度が不十分であることが検出された場合には、ＷＬＡＮインタフェース部ＩＦ−２からＳＩＰサーバ１４の設定解除を行い（ステップＳ７３）、セルラ交換機１０に対しても迂回設定の設定解除を行う（ステップＳ７４）。
【０１４８】
この設定解除の後、セルラインタフェース部ＩＦ−１において、電波強度が十分である場合には、セルラ交換機１０に対する切替設定を行う（ステップＳ７５）。この切替設定は、セルラネットワーク６からＷＬＡＮインタフェース部ＩＦ−２への着信をセルラインタフェース部ＩＦ−１に転送する設定である。また、セルラインタフェース部ＩＦ−１からＳＩＰサーバ１４に対して迂回設定を行う（ステップＳ７６）。この迂回設定は、ＷＬＡＮネットワーク８からＷＬＡＮインタフェース部ＩＦ−２への着信をセルラインタフェース部ＩＦ−１に転送する設定である。
【０１４９】
また、セルラインタフェース部ＩＦ−１の電波強度が十分でないことを検出した場合には、セルラインタフェース部ＩＦ−１からセルラ交換機１０の設定解除を行い（ステップＳ７７）、ＳＩＰサーバ１４に対しても迂回設定の解除を行う（ステップＳ７８）。
【０１５０】
次に、図３８の処理シーケンスに対応する電源切替え及びそれに対応する迂回設定及び設定解除の処理手順について、図３９を参照して説明する。図３９は、セルラインタフェース部ＩＦ−１、ＷＬＡＮインタフェース部ＩＦ−２の電源切替え及びそれに対応する迂回設定及び設定解除の処理手順を示すフローチャートである。
【０１５１】
この処理手順は、通信端末装置４に搭載されているコンピュータ及び通信制御プログラム６２によって実行され、その処理手順には、電源の切替え、受信電波の強度の判定、迂回設定又は設定解除の指示等が含まれる。
【０１５２】
ＷＬＡＮインタフェース部ＩＦ−２のＷＬＡＮ−ＲＦフロントエンド部３０に電源を接続する（ステップＳ１０１）。ＷＬＡＮ−ＲＦフロントエンド部３０に対する電波強度を検出し、電波強度が十分か否かを確認する（ステップＳ１０２）。電波強度が十分であれば、ＷＬＡＮベースバンド部３２の電源を入れ（ステップＳ１０３）、ＷＬＡＮインタフェース部ＩＦ−２への迂回設定をする（ステップＳ１０４）。
【０１５３】
現状の設定状態を維持するか否かを判断するため、ＷＬＡＮ−ＲＦフロントエンド部３０に対する電波強度を検出し、電波強度が十分であるか否かを確認する（ステップＳ１０５）。電波強度が十分であれば、現状の設定状態を維持する。また、電波強度が不十分であれば、ＷＬＡＮインタフェース部ＩＦ−２への迂回設定を解除し（ステップＳ１０６）、ＷＬＡＮベースバンド部３２の電源を切る（ステップＳ１０７）。
【０１５４】
セルラインタフェース部ＩＦ−１のセルラＲＦフロントエンド部２４の電源を入れる（ステップＳ１０８）。この場合、ステップＳ１０２において、電波強度が不十分である場合にも、同様に、セルラＲＦフロントエンド部２４の電源を入れる。そして、ＷＬＡＮ−ＲＦフロントエンド部３０の電源を切る（ステップＳ１０９）。
【０１５５】
セルラＲＦフロントエンド部２４に対する電波強度を検出し、電波強度が十分であるか否かを確認する（ステップＳ１１０）。電波強度が十分であれば、セルラベースバンド部２６の電源を入れ（ステップＳ１１１）、セルラインタフェース部ＩＦ−１への迂回設定を行う（ステップＳ１１２）。
【０１５６】
また、現状の設定状態を維持するか否かを判断するため、セルラＲＦフロントエンド部２４に対する電波強度を検出し、電波強度が十分であるか否かを確認する（ステップＳ１１３）。電波強度が十分であれば、ＷＬＡＮインタフェース部ＩＦ−２のＷＬＡＮ−ＲＦフロントエンド部３０の電源を入れる（ステップＳ１１４）。また、現状の設定状態を維持するか否かを判断するため、ＷＬＡＮ−ＲＦフロントエンド部３０に対する電波強度を検出し、電波強度が十分であるか否かを確認する（ステップＳ１１５）。電波強度が十分でなければ、ＷＬＡＮ−ＲＦフロントエンド部３０の電源を切り（ステップＳ１１６）、ステップＳ１１３に戻る。
【０１５７】
ステップＳ１１３において、セルラＲＦフロントエンド部２４の電波強度が不十分であれば、セルラインタフェース部ＩＦ−１への迂回設定を解除し（ステップＳ１１７）、セルラベースバンド部２６の電源を切り（ステップＳ１１８）、ＷＬＡＮ−ＲＦフロントエンド部３０の電源を入れ（ステップＳ１１９）、セルラＲＦフロントエンド部２４の電源を切り（ステップＳ１２０）、ステップＳ１０２に移行する。また、ステップＳ１１５において、ＷＬＡＮ−ＲＦフロントエンド部３０の電波強度が十分であれば、ステップＳ１２０に移行する。
【０１５８】
このような処理手順により、電波強度に応じてセルラインタフェース部ＩＦ−１とＷＬＡＮインタフェース部ＩＦ−２の迂回設定が変更され、最適な通信状態が維持されることになる。また、既述の実施の形態と同様に、通信端末装置４の省電力化とともに、通信の信頼性を高め、且つ、経済的な通信に寄与することができる。
【０１５９】
〔第５の実施の形態〕
【０１６０】
本発明の第５の実施の形態について、図４０ないし図４３を参照して説明する。図４０ないし図４３は、通信端末装置の処理手順を示すフローチャートである。
【０１６１】
この第５の実施の形態では、セルラインタフェース部ＩＦ−１とＷＬＡＮインタフェース部ＩＦ−２との動作選択に優先順位を設定した場合の処理手順を示している。この処理手順は、既述の通り、通信端末装置４に搭載された通信制御プログラム６２又はその変形例によって実行される処理を示している。
【０１６２】
この第５の実施の形態においても、図１に示す通信システム２、図２に示す通信端末装置４、図３に示すプログラム・データ格納メモリ、図５に示すセルラ交換機１０、図６に示すプログラム・データ格納メモリ、図７に示すＳＩＰサーバ１４、図８に示すプログラム・データ格納メモリを用いる。
【０１６３】
そこで、図４０に示すフローチャートでは、課金等のユーザにとって有利性を選択条件として優先順位条件を設定する場合の処理である。また、優先順位は、随時変更可能である。
【０１６４】
この処理では、セルラインタフェース部ＩＦ−１とＷＬＡＮインタフェース部ＩＦ−２の優先順位決定の処理が実行され（ステップＳ２０１）、この優先順位決定の際、セルラインタフェース部ＩＦ−１の選択がＷＬＡＮインタフェース部ＩＦ−２より有利な場合（ＩＦ−１＞ＩＦ−２）には、セルラインタフェース部ＩＦ−１の電源を投入し（ステップＳ２０２）、セルラインタフェース部ＩＦ−１を動作させる。この場合、セルラインタフェース部ＩＦ−１への迂回設定を実行し（ステップＳ２０３）、この状態でインタフェース部の優先順位を確認する（ステップＳ２０４）。この優先順位の確認により、セルラインタフェース部ＩＦ−１の選択がＷＬＡＮインタフェース部ＩＦ−２より有利な場合（ＩＦ−１＞ＩＦ−２）には、現状の設定を維持する。
【０１６５】
状況の変化により、ＷＬＡＮインタフェース部ＩＦ−２の選択がセルラインタフェース部ＩＦ−１より有利な場合（ＩＦ−２＞ＩＦ−１）には、現状設定を解除する。この場合、セルラインタフェース部ＩＦ−１への迂回設定を解除し（ステップＳ２０５）、セルラインタフェース部ＩＦ−１の電源を切断し（ステップＳ２０６）、ＷＬＡＮインタフェース部ＩＦ−２の動作に切り替えられる（ステップＳ２０７）。
【０１６６】
セルラインタフェース部ＩＦ−１とＷＬＡＮインタフェース部ＩＦ−２の優先順位決定の処理（ステップＳ２０１）において、ＷＬＡＮインタフェース部ＩＦ−２の選択がセルラインタフェース部ＩＦ−１より有利な場合（ＩＦ−２＞ＩＦ−１）には、ＷＬＡＮインタフェース部ＩＦ−２の電源を投入し（ステップＳ２０７）、ＷＬＡＮインタフェース部ＩＦ−２を動作させる。この場合、ＷＬＡＮインタフェース部ＩＦ−２への迂回設定を実行し（ステップＳ２０８）、この状態でセルラインタフェース部ＩＦ−１とＷＬＡＮインタフェース部ＩＦ−２の優先順位を確認する（ステップＳ２０９）。この優先順位の確認により、ＷＬＡＮインタフェース部ＩＦ−２の選択がセルラインタフェース部ＩＦ−１より有利な場合（ＩＦ−２＞ＩＦ−１）には、最新の設定を維持する。
【０１６７】
また、状況の変化により、セルラインタフェース部ＩＦ−１の選択がＷＬＡＮインタフェース部ＩＦ−２より有利な場合（ＩＦ−１＞ＩＦ−２）には、ＷＬＡＮインタフェース部ＩＦ−２への迂回設定を解除し（ステップＳ２１０）、ＷＬＡＮインタフェース部ＩＦ−２の電源を切断し（ステップＳ２１１）、セルラインタフェース部ＩＦ−１が選択される（ステップＳ２０２）。
【０１６８】
以上の処理により、具体的には、課金条件に応じて、インタフェース部の動作が切り替えられ、ユーザは有利な課金条件の適用を受けることが可能となる。
【０１６９】
また、上記処理において、迂回設定又は迂回設定解除は、セルラインタフェース部ＩＦ−１又はＷＬＡＮインタフェース部ＩＦ−２の電源切断に対応してセルラ交換機１０、ＳＩＰサーバ１４の何れのルートから設定してもよく、迂回設定、迂回設定解除は、第１ないし第４の実施の形態の何れを用いてもよい。
【０１７０】
図４１に示すフローチャートでは、処理手順に電波強度に応じた処理を加えたものである。電波強度に応じた迂回設定、迂回設定解除により、通信の信頼性を高めることが可能となる。この場合、電波強度及び優先順位の双方によって迂回設定、迂回設定解除が制御される。
【０１７１】
そこで、斯かる処理においても、セルラインタフェース部ＩＦ−１、ＷＬＡＮインタフェース部ＩＦ−２の優先順位決定の処理が実行され（ステップＳ３０１）、この優先順位決定の際、セルラインタフェース部ＩＦ−１の選択がＷＬＡＮインタフェース部ＩＦ−２より有利な場合（ＩＦ−１＞ＩＦ−２）には、セルラインタフェース部ＩＦ−１の電源を投入し（ステップＳ３０２）、セルラインタフェース部ＩＦ−１を動作させる。この場合、セルラインタフェース部ＩＦ−１の電波強度を確認し（ステップＳ３０３）、電波強度が弱い場合には、セルラインタフェース部ＩＦ−１の電源を切断し（ステップＳ３０４）、また、電波強度が強い場合には、セルラインタフェース部ＩＦ−１への迂回設定を実行し（ステップＳ３０５）、この状態でセルラインタフェース部ＩＦ−１、ＷＬＡＮインタフェース部ＩＦ−２の優先順位を確認する（ステップＳ３０６）。セルラインタフェース部ＩＦ−１がＷＬＡＮインタフェース部ＩＦ−２より優先順位が高い場合には、セルラインタフェース部ＩＦ−１の電波強度を確認し（ステップＳ３０７）、その電波強度が強い場合には、現状の設定を維持する（ステップＳ３０６、Ｓ３０７）。
【０１７２】
優先順位の確認において（ステップＳ３０６）、ＷＬＡＮインタフェース部ＩＦ−２がセルラインタフェース部ＩＦ−１より優先順位が高い場合、また、電波強度の確認（ステップＳ３０７）において、電波強度が弱い場合には、セルラインタフェース部ＩＦ−１への迂回設定を解除し（ステップＳ３０８）、セルラインタフェース部ＩＦ−１の電源を切断し（ステップＳ３０９）、ＷＬＡＮインタフェース部ＩＦ−２側が選択される。
【０１７３】
セルラインタフェース部ＩＦ−１、ＷＬＡＮインタフェース部ＩＦ−２の優先順位決定の処理（ステップＳ３０１）において、ＷＬＡＮインタフェース部ＩＦ−２の優先順位が高い場合（ＩＦ−２＞ＩＦ−１）、セルラインタフェース部ＩＦ−１の電源が切断される場合（ステップＳ３０４、Ｓ３０９）には、ＷＬＡＮインタフェース部ＩＦ−２の電源が投入される（ステップＳ３１０）。ＷＬＡＮインタフェース部ＩＦ−２の電波強度を確認し（ステップＳ３１１）、電波強度が弱い場合には、ＷＬＡＮインタフェース部ＩＦ−２の電源を切断し（ステップＳ３１２）、ステップＳ３０２に移行する。
【０１７４】
ＷＬＡＮインタフェース部ＩＦ−２の電波強度が強い場合には、ＷＬＡＮインタフェース部ＩＦ−２への迂回設定を実行し（ステップＳ３１３）、この状態でセルラインタフェース部ＩＦ−１、ＷＬＡＮインタフェース部ＩＦ−２の優先順位を確認する（ステップＳ３１４）。ＷＬＡＮインタフェース部ＩＦ−２がセルラインタフェース部ＩＦ−１より優先順位が高い場合には、ＷＬＡＮインタフェース部ＩＦ−２の電波強度を確認し（ステップＳ３１５）、その電波強度が強い場合には、現状の設定を維持する（ステップＳ３１４、Ｓ３１５）。
【０１７５】
優先順位の確認において（ステップＳ３１４）、セルラインタフェース部ＩＦ−１がＷＬＡＮインタフェース部ＩＦ−２より優先順位が高い場合、また、ＷＬＡＮインタフェース部ＩＦ−２の電波強度の確認（ステップＳ３１５）において、電波強度が弱い場合には、ＷＬＡＮインタフェース部ＩＦ−２への迂回設定を解除し（ステップＳ３１６）、ＷＬＡＮインタフェース部ＩＦ−２の電源を切断し（ステップＳ３１７）、セルラインタフェース部ＩＦ−１側が選択される（ステップＳ３０２）。
【０１７６】
以上の処理により、具体的には、課金条件に応じて、インタフェース部の動作が切り替えられ、ユーザは有利な課金条件の適用を受けることが可能となる。
【０１７７】
図４２に示すフローチャートでは、ネットワークの設定解除を他方のインタフェース部で行う場合の処理であり、迂回設定は電波の強い方へ迂回する。即ち、迂回設定の解除は他方のインタフェース部で行う場合である。
【０１７８】
そこで、この処理においても、処理の開始により、セルラインタフェース部ＩＦ−１、ＷＬＡＮインタフェース部ＩＦ−２の優先順位を決定し（ステップＳ４０１）、セルラインタフェース部ＩＦ−１が優先する場合には、セルラインタフェース部ＩＦ−１の電源を投入し（ステップＳ４０２）、セルラインタフェース部ＩＦ−１の電波強度を確認する（ステップＳ４０３）。電波強度が弱い場合には、セルラインタフェース部ＩＦ−１の電源を切断し（ステップＳ４０４）、電波強度が強い場合には、セルラインタフェース部ＩＦ−１への迂回設定を行い、ＷＬＡＮインタフェース部ＩＦ−２への迂回設定があれば、その設定を解除する（ステップＳ４０５）。
【０１７９】
ここで、セルラインタフェース部ＩＦ−１、ＷＬＡＮインタフェース部ＩＦ−２の優先順位の確認を行い（ステップＳ４０６）、セルラインタフェース部ＩＦ−１が選択されている場合には、セルラインタフェース部ＩＦ−１の電波強度の確認を行い（ステップＳ４０７）、電波強度が強い場合には、現状の設定を維持する（ステップＳ４０６、Ｓ４０７）。
【０１８０】
セルラインタフェース部ＩＦ−１、ＷＬＡＮインタフェース部ＩＦ−２の優先順位の確認（ステップＳ４０６）でＷＬＡＮインタフェース部ＩＦ−２の優先順位が高い場合、又は、セルラインタフェース部ＩＦ−１の電波強度の確認（ステップＳ４０７）で電波強度が弱い場合には、セルラインタフェース部ＩＦ−１の電源を切断し（ステップＳ４０８）、ＷＬＡＮインタフェース部ＩＦ−２側に移行する（ステップＳ４０９）。
【０１８１】
セルラインタフェース部ＩＦ−１、ＷＬＡＮインタフェース部ＩＦ−２の優先順位の決定（ステップＳ４０１）において、ＷＬＡＮインタフェース部ＩＦ−２が優先する場合には、ＷＬＡＮインタフェース部ＩＦ−２の電源を投入し（ステップＳ４０９）、ＷＬＡＮインタフェース部ＩＦ−２の電波強度を確認する（ステップＳ４１０）。電波強度が弱い場合には、ＷＬＡＮインタフェース部ＩＦ−２の電源を切断し（ステップＳ４１１）、電波強度が強い場合には、ＷＬＡＮインタフェース部ＩＦ−２への迂回設定を行い、セルラインタフェース部ＩＦ−１への迂回設定があれば、その設定を解除する（ステップＳ４１２）。
【０１８２】
また、セルラインタフェース部ＩＦ−１、ＷＬＡＮインタフェース部ＩＦ−２の優先順位の確認を行い（ステップＳ４１３）、ＷＬＡＮインタフェース部ＩＦ−２が選択されている場合には、ＷＬＡＮインタフェース部ＩＦ−２の電波強度の確認を行い（ステップＳ４１４）、電波強度が強い場合には、現状の設定を維持する（ステップＳ４１３、Ｓ４１４）。
【０１８３】
セルラインタフェース部ＩＦ−１、ＷＬＡＮインタフェース部ＩＦ−２の優先順位の確認（ステップＳ４１３）でセルラインタフェース部ＩＦ−１の優先順位が高い場合、ＷＬＡＮインタフェース部ＩＦ−２の電波強度の確認（ステップＳ４１４）で電波強度が弱い場合には、ＷＬＡＮインタフェース部ＩＦ−２の電源を切断し（ステップＳ４１５）、セルラインタフェース部ＩＦ−１側に移行する（ステップＳ４０２）。
【０１８４】
図４３に示すフローチャートでは、ネットワークの設定又は設定解除を他方のインタフェース部で行う場合の処理であって、迂回設定は電波の強い方へ迂回する。即ち、迂回設定及びその解除が他方のインタフェース部で行われる。
【０１８５】
そこで、この処理においても、処理の開始により、セルラインタフェース部ＩＦ−１、ＷＬＡＮインタフェース部ＩＦ−２の優先順位を決定し（ステップＳ５０１）、セルラインタフェース部ＩＦ−１が優先する場合には、セルラインタフェース部ＩＦ−１の電源を投入し（ステップＳ５０２）、セルラインタフェース部ＩＦ−１の電波強度を確認する（ステップＳ５０３）。電波強度が弱い場合には、セルラインタフェース部ＩＦ−１の電源を切断し（ステップＳ５０４）、電波強度が強い場合には、ＷＬＡＮインタフェース部ＩＦ−２の電源を投入し（ステップＳ５０５）、ＷＬＡＮインタフェース部ＩＦ−２の電波強度を確認する（ステップＳ５０６）。電波強度が強ければ、ＷＬＡＮインタフェース部ＩＦ−２を使用してセルラインタフェース部ＩＦ−１への迂回設定を行い、ＷＬＡＮインタフェース部ＩＦ−２への迂回設定がなされている場合には、ＷＬＡＮインタフェース部ＩＦ−２への迂回設定を解除し（ステップＳ５０７）、また、電波強度が弱ければ、セルラインタフェース部ＩＦ−１を使用してセルラインタフェース部ＩＦ−１への迂回設定を行い、ＷＬＡＮインタフェース部ＩＦ−２への迂回設定がなされている場合には、ＷＬＡＮインタフェース部ＩＦ−２への迂回設定を解除し（ステップＳ５０８）、ＷＬＡＮインタフェース部ＩＦ−２の電源を切断する（ステップＳ５０９）。
【０１８６】
ここで、セルラインタフェース部ＩＦ−１、ＷＬＡＮインタフェース部ＩＦ−２の優先順位の確認を行い（ステップＳ５１０）、セルラインタフェース部ＩＦ−１の優先順位が高い場合には、セルラインタフェース部ＩＦ−１の電波強度の確認を行い（ステップＳ５１１）、電波強度が強い場合には、現状の設定を維持する（ステップＳ５１０、Ｓ５１１）。
【０１８７】
セルラインタフェース部ＩＦ−１、ＷＬＡＮインタフェース部ＩＦ−２の優先順位の確認（ステップＳ５１０）でＷＬＡＮインタフェース部ＩＦ−２の優先順位が高い場合、又は、セルラインタフェース部ＩＦ−１の電波強度の確認（ステップＳ５１１）で電波強度が弱い場合には、セルラインタフェース部ＩＦ−１の電源を切断し（ステップＳ５１２）、ＷＬＡＮインタフェース部ＩＦ−２側に移行する（ステップＳ５１３）。
【０１８８】
セルラインタフェース部ＩＦ−１、ＷＬＡＮインタフェース部ＩＦ−２の優先順位の決定（ステップＳ５０１）において、ＷＬＡＮインタフェース部ＩＦ−２が優先する場合には、ＷＬＡＮインタフェース部ＩＦ−２の電源を投入し（ステップＳ５１３）、ＷＬＡＮインタフェース部ＩＦ−２の電波強度を確認する（ステップＳ５１４）。電波強度が弱い場合には、ＷＬＡＮインタフェース部ＩＦ−２の電源を切断し（ステップＳ５１５）、電波強度が強い場合には、セルラインタフェース部ＩＦ−１の電源を投入し（ステップＳ５１６）、セルラインタフェース部ＩＦ−１の電波強度を確認する（ステップＳ５１７）。電波強度が強ければ、セルラインタフェース部ＩＦ−１を使用してＷＬＡＮインタフェース部ＩＦ−２への迂回設定を行い、セルラインタフェース部ＩＦ−１への迂回設定がなされている場合には、セルラインタフェース部ＩＦ−１への迂回設定を解除し（ステップＳ５１８）、また、電波強度が弱ければ、ＷＬＡＮインタフェース部ＩＦ−２を使用してＷＬＡＮインタフェース部ＩＦ−２への迂回設定を行い、セルラインタフェース部ＩＦ−１への迂回設定がなされている場合には、セルラインタフェース部ＩＦ−１への迂回設定を解除し（ステップＳ５１９）、セルラインタフェース部ＩＦ−１の電源を切断する（ステップＳ５２０）。
【０１８９】
ここで、セルラインタフェース部ＩＦ−１、ＷＬＡＮインタフェース部ＩＦ−２の優先順位の確認を行い（ステップＳ５２１）、ＷＬＡＮインタフェース部ＩＦ−２の優先順位が高い場合には、ＷＬＡＮインタフェース部ＩＦ−２の電波強度の確認を行い（ステップＳ５２２）、電波強度が強ければ、現状の設定を維持する（ステップＳ５２１、Ｓ５２２）。
【０１９０】
セルラインタフェース部ＩＦ−１、ＷＬＡＮインタフェース部ＩＦ−２の優先順位の確認（ステップＳ５２１）でセルラインタフェース部ＩＦ−１の優先順位が高い場合、又は、ＷＬＡＮインタフェース部ＩＦ−２の電波強度の確認（ステップＳ５２２）で電波強度が弱い場合には、ＷＬＡＮインタフェース部ＩＦ−２の電源を切断し（ステップＳ５２３）、セルラインタフェース部ＩＦ−１側に移行する（ステップＳ５０２）。
【０１９１】
この第５の実施の形態においても、既述の実施の形態と同様に、通信端末装置４の省電力化とともに、通信の信頼性を高め、且つ、経済的な通信に寄与することができる。
【０１９２】
〔第６の実施の形態〕
【０１９３】
本発明の第６の実施の形態について、図４４を参照して説明する。図４４は、通信端末装置の処理手順を示すフローチャートである。
【０１９４】
この第６の実施の形態では、既述の第４の実施の形態（図３７）と同様に、セルラＲＦフロントエンド部２４とセルラベースバンド部２６とを独立して給電するとともに、ＷＬＡＮ−ＲＦフロントエンド部３０とＷＬＡＮベースバンド部３２とを独立して給電する構成とし、その切替え制御を加味しつつ、セルラインタフェース部ＩＦ−１とＷＬＡＮインタフェース部ＩＦ−２の動作選択に優先順位を設定した場合の処理を示している。これらの処理は、通信制御プログラム６２又はその変形例によって実行される。
【０１９５】
この第６の実施の形態においても、図１に示す通信システム２、図３７に示す通信端末装置４（第４の実施の形態）、図３に示すプログラム・データ格納メモリ、図５に示すセルラ交換機１０、図６に示すプログラム・データ格納メモリ、図７に示すＳＩＰサーバ１４、図８に示すプログラム・データ格納メモリを用いる。
【０１９６】
そこで、この処理においても、この処理が開始されると、セルラインタフェース部ＩＦ−１、ＷＬＡＮインタフェース部ＩＦ−２について、ユーザの指定やシステム条件で使用する優先順位を決定し（ステップＳ６０１）、セルラインタフェース部ＩＦ−１の優先順位が高い場合には、セルラインタフェース部ＩＦ−１のセルラＲＦフロントエンド部２４の電源を入れる（ステップＳ６０２）。ここで、セルラインタフェース部ＩＦ−１の電波強度を確認し（ステップＳ６０３）、電波強度が弱い場合には、セルラインタフェース部ＩＦ−１の電源を切断し（ステップＳ６０４）、電波強度が高い場合には、セルラベースバンド部２６の電源を入れる（ステップＳ６０５）。セルラインタフェース部ＩＦ−１への迂回設定を実行し（ステップＳ６０６）、この状態でセルラインタフェース部ＩＦ−１とＷＬＡＮインタフェース部ＩＦ−２の優先順位を確認し（ステップＳ６０７）、セルラインタフェース部ＩＦ−１の優先順位が高い場合には、セルラインタフェース部ＩＦ−１の電波強度を確認し（ステップＳ６０８）、電波強度が強い場合には、現状を維持する（ステップＳ６０７、Ｓ６０８）。
【０１９７】
セルラインタフェース部ＩＦ−１、ＷＬＡＮインタフェース部ＩＦ−２の優先順位の確認（ステップＳ６０７）でＷＬＡＮインタフェース部ＩＦ−２の優先順位が高い場合、セルラインタフェース部ＩＦ−１の電波強度の確認（ステップＳ６０８）で電波強度が弱い場合には、セルラインタフェース部ＩＦ−１への迂回設定を解除し（ステップＳ６０９）、セルラベースバンド部２６の電源を切断し（ステップＳ６１０）、セルラＲＦフロントエンド部２４の電源を切断し（ステップＳ６１１）、ＷＬＡＮインタフェース部ＩＦ−２側に移行する（ステップＳ６１２）。
【０１９８】
セルラインタフェース部ＩＦ−１、ＷＬＡＮインタフェース部ＩＦ−２の優先順位の決定の処理（ステップＳ６０１）において、ＷＬＡＮインタフェース部ＩＦ−２が選択されている場合、セルラインタフェース部ＩＦ−１の電源が切断される場合（ステップＳ６０４、Ｓ６１１）には、ＷＬＡＮ−ＲＦフロントエンド部３０の電源を投入し（ステップＳ６１２）、ＷＬＡＮインタフェース部ＩＦ−２の電波強度を確認し（ステップＳ６１３）、電波強度が弱い場合には、ＷＬＡＮインタフェース部ＩＦ−２の電源を切断し（ステップＳ６１４）、ステップＳ６０２に移行する。
【０１９９】
ＷＬＡＮインタフェース部ＩＦ−２の電波強度が強い場合には、ＷＬＡＮベースバンド部３２の電源を入れ（ステップＳ６１５）、ＷＬＡＮインタフェース部ＩＦ−２への迂回設定を実行し（ステップＳ６１６）、この状態でセルラインタフェース部ＩＦ−１、ＷＬＡＮインタフェース部ＩＦ−２の優先順位を確認する（ステップＳ６１７）。ＷＬＡＮインタフェース部ＩＦ−２がセルラインタフェース部ＩＦ−１より優先順位が高い場合には、ＷＬＡＮインタフェース部ＩＦ−２の電波強度を確認し（ステップＳ６１８）、その電波強度が強い場合には、現状の設定を維持する（ステップＳ６１７、Ｓ６１８）。
【０２００】
セルラインタフェース部ＩＦ−１、ＷＬＡＮインタフェース部ＩＦ−２の優先順位の確認（ステップＳ６１７）でセルラインタフェース部ＩＦ−１の優先順位が高い場合、ＷＬＡＮインタフェース部ＩＦ−２の電波強度の確認（ステップＳ６１８）で電波強度が弱い場合には、ＷＬＡＮインタフェース部ＩＦ−２への迂回設定を解除し（ステップＳ６１９）、ＷＬＡＮベースバンド部３２の電源を切断し（ステップＳ６２０）、ＷＬＡＮ−ＲＦフロントエンド部３０の電源を切断し（ステップＳ６２１）、セルラインタフェース部ＩＦ−１側に移行する（ステップＳ６０２）。
【０２０１】
この第６の実施の形態においても、既述の実施の形態と同様に、通信端末装置４の省電力化とともに、通信の信頼性を高め、且つ、経済的な通信に寄与することができる。
【０２０２】
〔第７の実施の形態〕
【０２０３】
本発明の第７の実施の形態について、図４５及び図４６を参照して説明する。図４５は、セルラインタフェース部ＩＦ−１の電源を切る場合のセルラ交換機１０の処理手順を示すフローチャート、図４６は、ＷＬＡＮインタフェース部ＩＦ−２の電源を切る場合のＳＩＰサーバ１４の処理手順を示すフローチャートである。
【０２０４】
この第７の実施の形態では、セルラ交換機１０にある接続管理表１０４、ＳＩＰサーバ１４にある接続管理表１０６を用いた場合の迂回設定又は設定解除の処理である。斯かる処理は、セルラ交換機１０側の通信制御プログラムによって実行される。
【０２０５】
この第７の実施の形態においても、図１に示す通信システム２、図２に示す通信端末装置４、図３に示すプログラム・データ格納メモリ、図４に示すセルラ交換機１０、図５に示すプログラム・データ格納メモリ、図６に示すＳＩＰサーバ１４、図７に示すプログラム・データ格納メモリを用いる。
【０２０６】
Ａ  セルラインタフェース部ＩＦ−１の電源を切る場合
【０２０７】
図４５に示すように、セルラ交換機１０では、通信端末装置４からの指示待ち状態において、次の指示を受ける（ステップＳ７０１）。即ち、指示内容は、ステップＳ７０２、Ｓ７０４、Ｓ７０８である。
【０２０８】
そこで、ＷＬＡＮインタフェース部ＩＦ−２経由でＷＬＡＮインタフェース部ＩＦ−２への迂回設定指示を受けるか、又は、セルラインタフェース部ＩＦ−１経由でＷＬＡＮインタフェース部ＩＦ−２への迂回設定指示を受ける場合（ステップＳ７０２）には、接続管理表１０４の迂回設定欄にＷＬＡＮ電話番号を記入する（ステップＳ７０３）。
【０２０９】
また、セルラインタフェース部ＩＦ−１への接続要求を受ける場合（ステップＳ７０４）には、接続管理表１０４で接続要求先の電話番号を検索し、その電話番号の迂回設定欄を参照する（ステップＳ７０５）。迂回設定が無効である場合には、ＷＬＡＮネットワーク８への迂回は行わずに、セルラインタフェース部ＩＦ−１への接続処理を行う（ステップＳ７０６）。また、迂回設定欄に電話番号が記載されていれば、ＷＬＡＮ電話番号への接続処理を行う（ステップＳ７０７）。
【０２１０】
また、ＷＬＡＮインタフェース部ＩＦ−２経由でＷＬＡＮインタフェース部ＩＦ−２への迂回設定解除指示を受けるか、又は、セルラインタフェース部ＩＦ−１経由でＷＬＡＮインタフェース部ＩＦ−２への迂回設定解除指示を受ける場合（ステップＳ７０８）には、接続管理表１０４の迂回設定欄に「無効」を記入する（ステップＳ７０９）。
【０２１１】
Ｂ  ＷＬＡＮインタフェース部ＩＦ−２の電源を切る場合
【０２１２】
図４６に示すように、ＳＩＰサーバ１４では、通信端末装置４からの指示待ち状態において、次の指示を受ける（ステップＳ８０１）。即ち、指示内容は、ステップＳ８０２、Ｓ８０４、Ｓ８０８である。
【０２１３】
そこで、ＷＬＡＮインタフェース部ＩＦ−２経由でセルラインタフェース部ＩＦ−１への迂回設定指示を受けるか、又は、セルラインタフェース部ＩＦ−１経由でセルラインタフェース部ＩＦ−１への迂回設定指示を受ける場合（ステップＳ８０２）には、接続管理表１０６の迂回設定欄に迂回先のセルラ電話番号を記入する（ステップＳ８０３）。
【０２１４】
ＷＬＡＮインタフェース部ＩＦ−２への接続要求を受ける（ステップＳ８０４）場合には、接続管理表１０６で接続要求先の電話番号を検索し、その電話番号の迂回設定欄を参照する（ステップＳ８０５）。迂回設定が無効であれば、セルラネットワーク６への迂回は行わずに、ＷＬＡＮインタフェース部ＩＦ−２への接続処理を行う（ステップＳ８０６）。また、迂回設定欄に電話番号が記載されていれば、セルラ電話番号への接続処理を行う（ステップＳ８０７）。
【０２１５】
また、ＷＬＡＮインタフェース部ＩＦ−２経由でセルラインタフェース部ＩＦ−１への迂回設定解除指示を受けるか、又は、セルラインタフェース部ＩＦ−１経由でセルラインタフェース部ＩＦ−１への迂回設定解除指示を受ける（ステップＳ８０８）場合には、接続管理表１０６の迂回設定欄に「無効」を記入する（ステップＳ８０９）。
【０２１６】
〔第８の実施の形態〕
【０２１７】
本発明の第８の実施の形態について、図４７及び図４８を参照して説明する。図４７は、セルラインタフェース部ＩＦ−１の電源を切る場合のＳＩＰサーバ１４の処理手順を示すフローチャート、図４８は、ＷＬＡＮインタフェース部ＩＦ−２の電源を切る場合のセルラ交換機１０の処理手順を示すフローチャートである。
【０２１８】
この第８の実施の形態では、セルラ交換機１０にある読替え設定表１０８、ＳＩＰサーバ１４にある読替え設定表１１０を用いた場合の迂回設定又は設定解除の処理である。斯かる処理は、ＳＩＰサーバ１４側の通信制御プログラムによって実行される。
【０２１９】
この第８の実施の形態においても、図１に示す通信システム２、図２に示す通信端末装置４、図３に示すプログラム・データ格納メモリ、図４に示すセルラ交換機１０、図５に示すプログラム・データ格納メモリ、図６に示すＳＩＰサーバ１４、図７に示すプログラム・データ格納メモリを用いる。
【０２２０】
Ａ  セルラインタフェース部ＩＦ−１の電源を切る場合
【０２２１】
図４７に示すように、ＳＩＰサーバ１４では、通信端末装置４からの指示待ち状態において、次の指示を受ける（ステップＳ９０１）。即ち、指示内容は、ステップＳ９０２、Ｓ９０４、Ｓ９０８である。
【０２２２】
そこで、ＷＬＡＮインタフェース部ＩＦ−２経由でＷＬＡＮインタフェース部ＩＦ−２への迂回設定指示を受けるか、又は、セルラインタフェース部ＩＦ−１経由でＷＬＡＮインタフェース部ＩＦ−２への迂回設定指示を受ける場合（ステップＳ９０２）には、読替え設定表１１０の読替え設定欄にＷＬＡＮ電話番号を記入する（ステップＳ９０３）。
【０２２３】
セルラインタフェース部ＩＦ−１への接続要求を受ける場合（ステップＳ９０４）には、読替え設定表１１０で接続要求先の電話番号を検索し、その電話番号の読替え設定欄を参照する（ステップＳ９０５）。読替え設定が無効であれば、セルラ電話番号への接続処理を行う（ステップＳ９０６）。また、読替え設定欄に電話番号が記載されていれば、セルラネットワーク６への迂回は行わずに、読替え設定欄に記載されているＷＬＡＮインタフェース部ＩＦ−２への接続処理を行う（ステップＳ９０７）。
【０２２４】
ＷＬＡＮインタフェース部ＩＦ−２経由でＷＬＡＮインタフェース部ＩＦ−２への迂回設定解除指示を受けるか、又は、セルラインタフェース部ＩＦ−１経由でＷＬＡＮインタフェース部ＩＦ−２への迂回設定解除指示を受ける場合（ステップＳ９０８）には、読替え設定表１１０の読替え設定欄に「無効」を記入する（ステップＳ９０９）。
【０２２５】
Ｂ  ＷＬＡＮインタフェース部ＩＦ−２の電源を切る場合
【０２２６】
図４８に示すように、セルラ交換機１０では、通信端末装置４からの指示待ち状態において、次の指示を受ける（ステップＳ１００１）。即ち、指示内容は、ステップＳ１００２、Ｓ１００４、Ｓ１００８である。
【０２２７】
そこで、ＷＬＡＮインタフェース部ＩＦ−２経由でセルラインタフェース部ＩＦ−１への迂回設定指示を受けるか、又は、セルラインタフェース部ＩＦ−１経由でセルラインタフェース部ＩＦ−１への迂回設定指示を受ける場合（ステップＳ１００２）には、読替え設定表１０８の読替え設定欄にセルラ電話番号を記入する（ステップＳ１００３）。
【０２２８】
ＷＬＡＮインタフェース部ＩＦ−２への接続要求を受ける場合（ステップＳ１００４）には、読替え設定表１０８で接続要求先の電話番号を検索し、その電話番号の読替え設定欄を参照し（ステップＳ１００５）、読替え設定が無効である場合には、ＷＬＡＮ電話番号への接続処理を行う（ステップＳ１００６）。また、読替え設定欄に電話番号が記載されていれば、ＷＬＡＮネットワーク８への迂回は行わずに、セルラインタフェース部ＩＦ−１への接続処理を行う（ステップＳ１００７）。
【０２２９】
また、ＷＬＡＮインタフェース部ＩＦ−２経由でセルラインタフェース部ＩＦ−１への迂回設定解除指示を受けるか、又は、セルラインタフェース部ＩＦ−１経由でセルラインタフェース部ＩＦ−１への迂回設定解除指示を受ける場合（ステップＳ１００８）には、読替え設定表１０８の読替え設定欄に「無効」を記入する（ステップＳ１００９）。
【０２３０】
斯かる構成においても、前記実施の形態と同様に、通信端末装置４の省電力化とともに、通信の信頼性を高め、且つ、経済的な通信に寄与することができる。
【０２３１】
〔他の実施の形態〕
【０２３２】
(1) 上記実施の形態では、通信装置として通信端末装置４を例示したが、セルラインタフェース部ＩＦ−１とＷＬＡＮインタフェース部ＩＦ−２とを備えて複数の通信ネットワークとの通信を可能にした通信装置であれば、本発明を適用することができ、例えば、図４９に示すように、セルラインタフェース部ＩＦ−１とＷＬＡＮインタフェース部ＩＦ−２とを搭載して通信機能を持つパーソナルコンピュータ（ＰＣ）４０２を用いて通信システム２を構成してもよく、また、図５０に示すように、同様の機能を備えた携帯情報端末機（ＰＤＡ：Personal Digital Assistant）４０４を用いて通信システム２を構成してもよい。
【０２３３】
(2) 上記実施の形態では、通信装置としてセルラインタフェース部ＩＦ−１とＷＬＡＮインタフェース部ＩＦ−２とを備えた通信端末装置４、ＰＣ４０２、ＰＤＡ４０４等を例示したが、このような複合通信機能を持ついわゆるＤＵＡＬ端末の他、他の通信ネットワーク例えば、ＷｉＭＡＸに対応するインタフェース部等、３以上のインタフェース部の電源切替えを行う構成としてもよい。
【０２３４】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０２３５】
（付記１）  複数のネットワークに無線接続され、各ネットワークとの発着信を行う通信装置であって、
前記ネットワークに対応する複数のインタフェース部と、
前記ネットワークに対する着信先のインタフェース部を選択し、前記各インタフェース部に対する電源の接続切替えを行う制御部と、
前記着信先の前記インタフェース部に前記ネットワークからの着信を迂回させるための迂回先情報を前記ネットワークの一部又は全部に通知する通知部と、
を備え、前記ネットワークの着信を迂回先の前記インタフェース部に転送させることを特徴とする通信装置。
【０２３６】
（付記２）  付記１の通信装置において、
前記制御部は、電波強度により着信先のインタフェース部を選択することを特徴とする通信装置。
【０２３７】
（付記３）  付記１の通信装置において、
前記制御部は、予め又は随時に設定される優先順位により着信先のインタフェース部を選択することを特徴とする通信装置。
【０２３８】
（付記４）  付記１の通信装置において、
前記インタフェース部は、電波の送受を行う送受信部と、この送受信部に対する発着信情報を処理する情報処理部とを備えており、
前記情報処理部に対する電源の接続切替えを行うことを特徴とする通信装置。
【０２３９】
（付記５）  複数のインタフェース部を備える通信装置と無線接続されるネットワークに設置されるネットワーク装置であって、
着信先の前記インタフェース部に前記ネットワークからの着信を迂回させるための迂回先情報の通知を受け、迂回先として選択されている前記インタフェース部に着信を迂回させる処理部を備えることを特徴とするネットワーク装置。
【０２４０】
（付記６）  付記５のネットワーク装置において、
前記迂回先情報を記憶する記憶部を備えることを特徴とするネットワーク装置。
【０２４１】
（付記７）  付記５のネットワーク装置において、
前記処理部は、前記迂回先情報を前記通信装置から受けることを特徴とするネットワーク装置。
【０２４２】
（付記８）  付記５のネットワーク装置において、
前記処理部は、前記迂回先情報を他のネットワークを経由して受けることを特徴とするネットワーク装置。
【０２４３】
（付記９）  付記５のネットワーク装置において、
前記迂回先情報を他のネットワークに転送する通信部を備えることを特徴とするネットワーク装置。
【０２４４】
（付記１０）  複数のネットワークと、各ネットワークに設置されたネットワーク装置に無線接続される通信装置とを備える通信システムあって、
前記通信装置は、前記ネットワークに対応する複数のインタフェース部を備え、前記ネットワークに対する着信先のインタフェース部を選択し、前記各インタフェース部に対する電源の接続切替えを行うとともに、前記着信先の前記インタフェース部に前記ネットワークからの着信を迂回させるための迂回先情報を前記ネットワークの一部又は全部に通知し、
前記ネットワーク装置は、前記迂回先情報を受け、前記通信装置の前記迂回先の前記インタフェース部に着信を迂回させることを特徴とする通信システム。
【０２４５】
（付記１１）  複数のネットワークに無線接続されて各ネットワークとの発着信を行う通信方法であって、
前記ネットワークに対応する複数のインタフェース部を選択し、前記各インタフェース部に対する電源の接続切替えを行うステップと、
着信先の前記インタフェース部に前記ネットワークからの着信を迂回させるための迂回先情報を前記ネットワークの一部又は全部に通知するステップと、
前記ネットワークの着信を迂回先の前記インタフェース部に転送させるステップと、
を含むことを特徴とする通信方法。
【０２４６】
（付記１２）  付記１１の通信方法において、
電波強度により着信先のインタフェース部を選択するステップを含むことを特徴とする通信方法。
【０２４７】
（付記１３）  付記１１の通信方法において、
予め又は随時に設定される優先順位により着信先のインタフェース部を選択するステップを含むことを特徴とする通信方法。
【０２４８】
（付記１４）  通信装置の複数のインタフェース部と無線接続されて発着信する通信方法であって、
着信先の前記インタフェース部にネットワークからの着信を迂回させるための迂回先情報の通知を受けるステップと、
迂回先として選択されている前記インタフェース部に着信を迂回させるステップと、
を含むことを特徴とする通信方法。
【０２４９】
（付記１５）  付記１４の通信方法において、
前記迂回先情報を記憶部に記憶させるステップを含むことを特徴とする通信方法。
【０２５０】
（付記１６）  付記１４の通信方法において、
前記迂回先情報を前記通信装置から受けるステップを含むことを特徴とする通信方法。
【０２５１】
（付記１７）  付記１４の通信方法において、
前記迂回先情報を他のネットワークを経由して受けるステップを含むことを特徴とする通信方法。
【０２５２】
（付記１８）  付記１４の通信方法において、
前記迂回先情報を他のネットワークに転送するステップを含むことを特徴とする通信方法。
【０２５３】
（付記１９）  コンピュータに実行させる通信プログラムであって、
複数のネットワークに対応する複数のインタフェース部を選択し、前記各インタフェース部に対する電源の接続切替えを行うステップと、
着信先の前記インタフェース部に前記ネットワークからの着信を迂回させるための迂回先情報を前記ネットワークの一部又は全部に通知するステップと、
前記ネットワークの着信を迂回先の前記インタフェース部に転送させるステップと、
を含むことを特徴とする通信プログラム。
【０２５４】
（付記２０）  コンピュータに実行させる通信プログラムであって、
通信装置にある複数のインタフェース部における着信先のインタフェース部に対し、ネットワークからの着信を迂回させるための迂回先情報の通知を受けるステップと、
迂回先として選択されている前記インタフェース部に着信を迂回させるステップと、
を含むことを特徴とする通信プログラム。
【０２５５】
（付記２１）  付記２０の通信プログラムにおいて、
前記迂回先情報を他のネットワークに転送するステップを含むことを特徴とする通信プログラム。
【０２５６】
（付記２２）  付記２０の通信プログラムにおいて、
前記迂回先情報を記憶部に記憶させるステップを含むことを特徴とする通信プログラム。
【０２５７】
（付記２３）  コンピュータに実行させる通信プログラムを格納した記録媒体であって、
複数のネットワークに対応する複数のインタフェース部を選択し、前記各インタフェース部に対する電源の接続切替えを行うステップと、
着信先の前記インタフェース部に前記ネットワークからの着信を迂回させるための迂回先情報を前記ネットワークの一部又は全部に通知するステップと、
前記ネットワークの着信を迂回先の前記インタフェース部に転送させるステップと、
を実行させることを特徴とする、通信プログラムを格納したコンピュータ読取り可能な記録媒体。
【０２５８】
（付記２４）  コンピュータに実行させる通信プログラムを格納した記録媒体であって、
通信装置の複数のインタフェース部の着信先の前記インタフェース部に前記ネットワークからの着信を迂回させるための迂回先情報の通知を受けるステップと、
迂回先として選択されている前記インタフェース部に着信を迂回させるステップと、
を実行させることを特徴とする、通信プログラムを格納したコンピュータ読取り可能な記録媒体。
【０２５９】
（付記２５）  付記２４の記録媒体において、
前記迂回先情報を他のネットワークに転送するステップを実行させることを特徴とする通信プログラムを格納したコンピュータ読取り可能な記録媒体。
【０２６０】
（付記２６）  付記２４の記録媒体において、
前記迂回先情報を記憶部に記憶させるステップを実行させることを特徴とする、通信プログラムを格納したコンピュータ読取り可能な記録媒体。
【０２６１】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０２６２】
本発明は、複数のインタフェース部を選択し、インタフェース部に対する電源の接続切替えによる省電力化、インタフェース部の電源切替えに対応する迂回着信、電波強度や、課金条件等の優先選択等の選択条件に対応し、通信の信頼性維持とともに、経済性の向上に寄与することができ、また、インタフェース部の選択の自動化等を可能にし、有用である。
【図面の簡単な説明】
【０２６３】
【図１】第１の実施の形態に係る通信システムを示す図である。
【図２】通信端末装置の一例を示す図である。
【図３】プログラム・データ格納メモリの構成例を示す図である。
【図４】通信端末装置の一例を示す図である。
【図５】セルラ交換機の一例を示す図である。
【図６】プログラム・データ格納メモリの構成例を示す図である。
【図７】ＳＩＰサーバの一例を示す図である。
【図８】プログラム・データ格納メモリの構成例を示す図である。
【図９】セルラ交換機の接続管理表の一例を示す図である。
【図１０】ＳＩＰサーバの接続管理表の一例を示す図である。
【図１１】通信端末装置の処理手順を示すフローチャートである。
【図１２】セルラ交換機及びＳＩＰサーバの処理手順を示すフローチャートである。
【図１３】ＳＩＰサーバの迂回設定（ＩＦ−２の電源を切る場合）を示す図である。
【図１４】ＳＩＰサーバの接続管理表の具体例を示す図である。
【図１５】ＳＩＰサーバの処理手順（ＩＦ−２の電源を切る場合）を示すフローチャートである。
【図１６】通信端末装置のＩＦ−１の迂回着信を示す図である。
【図１７】通信端末装置のＩＦ−１の迂回着信を示す図である。
【図１８】通信端末装置のＩＦ−１の発信を示す図である。
【図１９】セルラ交換機の迂回設定（ＩＦ−１の電源を切る場合）を示す図である。
【図２０】セルラ交換機の接続管理表の具体例を示す図である。
【図２１】セルラ交換機の処理手順（ＩＦ−１の電源を切る場合）を示すフローチャートである。
【図２２】通信端末装置のＩＦ−２の迂回着信を示す図である。
【図２３】通信端末装置のＩＦ−２の迂回着信を示す図である。
【図２４】通信端末装置のＩＦ−２の発信を示す図である。
【図２５】第２の実施の形態に係るセルラ交換機の読替え設定表の一例を示す図である。
【図２６】第２の実施の形態に係るＳＩＰサーバの読替え設定表の一例を示す図である。
【図２７】迂回設定及び読替え設定を示す図である。
【図２８】セルラ交換機の読替え設定表の具体例を示す図である。
【図２９】セルラ交換機の処理手順（ＩＦ−２の電源を切る場合）を示すフローチャートである。
【図３０】通信端末装置のＩＦ−１の着信を示す図である。
【図３１】迂回設定及び読替え設定を示す図である。
【図３２】ＳＩＰサーバの読替え設定表の具体例を示す図である。
【図３３】ＳＩＰサーバの処理手順（ＩＦ−１の電源を切る場合）を示すフローチャートである。
【図３４】通信端末装置のＩＦ−２の着信を示す図である。
【図３５】第３の実施の形態に係る通信システムにおける、ＳＩＰサーバの迂回設定（ＩＦ−２の電源を切る場合）を示す図である。
【図３６】セルラ交換機の迂回設定（ＩＦ−１の電源を切る場合）を示す図である。
【図３７】第４の実施の形態に係る通信システムにおける、通信端末装置を示す図である。
【図３８】処理シーケンスを示すフローチャートである。
【図３９】通信端末装置の処理手順を示すフローチャートである。
【図４０】第５の実施の形態に係る通信システムにおける、通信端末装置の処理手順を示すフローチャートである。
【図４１】通信端末装置の他の処理手順を示すフローチャートである。
【図４２】通信端末装置の他の処理手順を示すフローチャートである。
【図４３】通信端末装置の他の処理手順を示すフローチャートである。
【図４４】第６の実施の形態に係る通信システムにおける、通信端末装置の処理手順を示すフローチャートである。
【図４５】第７の実施の形態に係る通信システムにおける、セルラ交換機の処理手順（ＩＦ−１の電源を切る場合）を示すフローチャートである。
【図４６】ＳＩＰサーバの処理手順（ＩＦ−２の電源を切る場合）を示すフローチャートである。
【図４７】第８の実施の形態に係る通信システムにおける、ＳＩＰサーバの処理手順（ＩＦ−１の電源を切る場合）を示すフローチャートである。
【図４８】セルラ交換機の処理手順（ＩＦ−２の電源を切る場合）を示すフローチャートである。
【図４９】他の実施の形態に係る通信システムを示す図である。
【図５０】他の実施の形態に係る通信システムを示す図である。
【符号の説明】
【０２６４】
２  通信システム
４  通信端末装置
６  セルラネットワーク
８  ＷＬＡＮネットワーク（インターネット）
１０  セルラ交換機
１４  ＳＩＰサーバ
ＩＦ−１  セルラインタフェース部
ＩＦ−２  ＷＬＡＮインタフェース部
２４  セルラＲＦフロントエンド部
２６  セルラベースバンド部
３０  ＷＬＡＮ−ＲＦフロントエンド部
３２  ＷＬＡＮベースバンド部
３８  電源制御部
４０  電池
４２、７６、９０  ＣＰＵ
４６、７８、９２  プログラム・データ格納メモリ
６２  通信制御プログラム
１０４、１０６  接続管理表
１０８、１１０  読替え設定表
【図１】
2008035420.tif 000003
【図２】
2008035420.tif 000004
【図３】
2008035420.tif 000005
【図４】
2008035420.tif 000006
【図５】
2008035420.tif 000007
【図６】
2008035420.tif 000008
【図７】
2008035420.tif 000009
【図８】
2008035420.tif 000010
【図９】
2008035420.tif 000011
【図１０】
2008035420.tif 000012
【図１１】
2008035420.tif 000013
【図１２】
2008035420.tif 000014
【図１３】
2008035420.tif 000015
【図１４】
2008035420.tif 000016
【図１５】
2008035420.tif 000017
【図１６】
2008035420.tif 000018
【図１７】
2008035420.tif 000019
【図１８】
2008035420.tif 000020
【図１９】
2008035420.tif 000021
【図２０】
2008035420.tif 000022
【図２１】
2008035420.tif 000023
【図２２】
2008035420.tif 000024
【図２３】
2008035420.tif 000025
【図２４】
2008035420.tif 000026
【図２５】
2008035420.tif 000027
【図２６】
2008035420.tif 000028
【図２７】
2008035420.tif 000029
【図２８】
2008035420.tif 000030
【図２９】
2008035420.tif 000031
【図３０】
2008035420.tif 000032
【図３１】
2008035420.tif 000033
【図３２】
2008035420.tif 000034
【図３３】
2008035420.tif 000035
【図３４】
2008035420.tif 000036
【図３５】
2008035420.tif 000037
【図３６】
2008035420.tif 000038
【図３７】
2008035420.tif 000039
【図３８】
2008035420.tif 000040
【図３９】
2008035420.tif 000041
【図４０】
2008035420.tif 000042
【図４１】
2008035420.tif 000043
【図４２】
2008035420.tif 000044
【図４３】
2008035420.tif 000045
【図４４】
2008035420.tif 000046
【図４５】
2008035420.tif 000047
【図４６】
2008035420.tif 000048
【図４７】
2008035420.tif 000049
【図４８】
2008035420.tif 000050
【図４９】
2008035420.tif 000051
【図５０】
2008035420.tif 000052